(57)【要約】  選択インターネットプロトコル伝送機会（ＳＩＰＴＯ、ｓｅｌｅｃｔｉｖｅ ｉｎｔｅｒｎｅｔ ｐｒｏｔｏｃｏｌ ｔｒａｎｓｐｏｒｔ ｏｐｐｏｒｔｕｎｉｔｙ）ルートが少なくとも１つの無線通信ユニットによる使用を許容するか否かを識別するための方法であって、コアネットワーク要素で、ホーム加入者サーバー（ＨＳＳ、ｈｏｍｅ ｓｕｂｓｃｒｉｂｅｒ ｓｅｒｖｅｒ）データベースに少なくとも１つの無線通信ユニットと関連した加入者プロファイルデータを格納する段階であって、前記加入者プロファイルデータは、無線通信ユニットがＳＩＰＴＯルートを使用することができる接続権限を有しているか否かを示す指示子を含む、格納する段階と；少なくとも１つの無線通信ユニットがＳＩＰＴＯルートを使用するように許容する少なくとも１つのネットワーク要素を通知するためのＳＩＰＴＯ指示子を生成する段階と；を含むことを特徴とする、識別するための方法を提供する。
2013502803.tif 000002
【特許請求の範囲】
【請求項１】
選択インターネットプロトコル伝送機会（ＳＩＰＴＯ、ｓｅｌｅｃｔｉｖｅ ｉｎｔｅｒｎｅｔ ｐｒｏｔｏｃｏｌ ｔｒａｎｓｐｏｒｔ ｏｐｐｏｒｔｕｎｉｔｙ）ルートが少なくとも１つの無線通信ユニットによる使用を許容するか否かを識別するための方法であって、
コアネットワーク要素で、
ホーム加入者サーバー（ＨＳＳ、ｈｏｍｅ ｓｕｂｓｃｒｉｂｅｒ ｓｅｒｖｅｒ）データベースに少なくとも１つの無線通信ユニットと関連した加入者プロファイルデータを格納する段階であって、前記加入者プロファイルデータは、無線通信ユニットがＳＩＰＴＯルートを使用することができる接続権限を有しているか否かを示す指示子を含む、格納する段階と；
少なくとも１つの無線通信ユニットがＳＩＰＴＯルートを使用するように許容する少なくとも１つのネットワーク要素を通知するためのＳＩＰＴＯ指示子を生成する段階と；を含むことを特徴とする識別するための方法。
【請求項２】
前記無線通信ユニットがＳＩＰＴＯルートを使用することができる接続権限を有しているか否かを示す指示子は、
所定のＰＤＮ連結に対する無線通信ユニットがＳＩＰＴＯルートに対する接続権限を有しているか否かを示す指示子を含むことを特徴とする請求項１に記載の識別するための方法。
【請求項３】
選択インターネットプロトコル伝送機会（ＳＩＰＴＯ、ｓｅｌｅｃｔｉｖｅ ｉｎｔｅｒｎｅｔ ｐｒｏｔｏｃｏｌ ｔｒａｎｓｐｏｒｔ ｏｐｐｏｒｔｕｎｉｔｙ）ルートが少なくとも１つの無線通信ユニットによる使用を許容するか否かを識別するための実行可能なプログラムコードを含むコンピュータプログラム製品であって、
コアネットワーク要素で、
ホーム加入者サーバー（ＨＳＳ、ｈｏｍｅ ｓｕｂｓｃｒｉｂｅｒ ｓｅｒｖｅｒ）データベースに少なくとも１つの無線通信ユニットと関連した加入者プロファイルデータを格納する段階であって、前記加入者プロファイルデータは、無線通信ユニットがＳＩＰＴＯルートを使用することができる接続権限を有しているか否かを示す指示子を含む、格納する段階と；
少なくとも１つの無線通信ユニットがＳＩＰＴＯルートを使用するように許容する少なくとも１つのネットワーク要素を通知するためのＳＩＰＴＯ指示子を生成する段階と；を含んで行うことを特徴とする、プログラムコードを含むコンピュータプログラム製品。
【請求項４】
選択インターネットプロトコル伝送機会（ＳＩＰＴＯ、ｓｅｌｅｃｔｉｖｅ ｉｎｔｅｒｎｅｔ ｐｒｏｔｏｃｏｌ ｔｒａｎｓｐｏｒｔ ｏｐｐｏｒｔｕｎｉｔｙ）ルートが少なくとも１つの無線通信ユニットによる使用を許容するか否かを識別するためのコアネットワーク要素であって、
前記コアネットワーク要素は、信号処理モジュールを含み、
前記信号処理モジュールは、
ホーム加入者サーバー（ＨＳＳ、ｈｏｍｅ ｓｕｂｓｃｒｉｂｅｒ ｓｅｒｖｅｒ）データベースに少なくとも１つの無線通信ユニットと関連した加入者プロファイルデータを格納する段階であって、前記加入者プロファイルデータは、無線通信ユニットがＳＩＰＴＯルートを使用することができる接続権限を有しているか否かを示す指示子を含む、格納する段階と；
少なくとも１つの無線通信ユニットがＳＩＰＴＯルートを使用するように許容する少なくとも１つのネットワーク要素を通知するためのＳＩＰＴＯ指示子を生成する段階と；を含んで行うことを特徴とする、コアネットワーク要素。
【請求項５】
選択インターネットプロトコル伝送機会（ＳＩＰＴＯ、ｓｅｌｅｃｔｉｖｅ ｉｎｔｅｒｎｅｔ ｐｒｏｔｏｃｏｌ ｔｒａｎｓｐｏｒｔ ｏｐｐｏｒｔｕｎｉｔｙ）ルートが少なくとも１つの無線通信ユニットによる使用を許容するか否かを識別するための集積回路であって、 
前記集積回路は、信号処理モジュールを含み、
前記信号処理モジュールは、
ホーム加入者サーバー（ＨＳＳ、ｈｏｍｅ ｓｕｂｓｃｒｉｂｅｒ ｓｅｒｖｅｒ）データベースに少なくとも１つの無線通信ユニットと関連した加入者プロファイルデータを格納する段階であって、前記加入者プロファイルデータは、無線通信ユニットがＳＩＰＴＯルートを使用することができる接続権限を有しているか否かを示す指示子を含む、格納する段階と；
少なくとも１つの無線通信ユニットがＳＩＰＴＯルートを使用するように許容する少なくとも１つのネットワーク要素を通知するためのＳＩＰＴＯ指示子を生成する段階と；を含んで行うことを特徴とする、集積回路。
【請求項６】
外部パケットデータネットワーク（ｅｘｔｅｒｎａｌ ＰＤＮ、ｅｘｔｅｒｎａｌ ｐａｃｋｅｔ ｄａｔａ ｎｅｔｗｏｒｋ）と無線通信ユニットとの間にＩＰデータルーティングのための選択ＩＰトラフィックオフロード（ＳＩＰＴＯ、ｓｅｌｅｃｔｉｖｅ ＩＰ Ｔｒａｆｆｉｃ ｏｆｆｌｏａｄ）が支援されるか否かを判別するための方法であって、
コアネットワーク要素で、
外部ＰＤＮに接続するための無線通信ユニットから要請を受信する段階と；
次の同意決定（ｐｏｓｉｔｉｖｅ ｄｅｔｅｒｍｉｎａｔｉｏｎ）によってＳＩＰＴＯルートが支援されることを判別する段階と；を含み、
上記同意決定は、
要請する無線通信ユニットの位置がＳＩＰＴＯを支援するか；
無線通信ユニットがＳＩＰＴＯ接続を許容するか；
外部ＰＤＮがＳＩＰＴＯを支援するルーターを含むか；
ネットワーク要素がＩＰデータオフロードを行うために認証されたか；
ネットワーク要素がＩＰデータオフロードを行うための十分な構成ケイパビリティー（ｃｏｎｆｉｇｕｒａｔｉｏｎ ｃａｐａｂｉｌｉｔｉｅｓ）を含むか；及び
ネットワークオペレータが利用するＳＩＰＴＯに対するブレーキアウトをネットワーク要素に許容するか；を判別することを含むことを特徴とする、判別するための方法。
【請求項７】
前記無線通信ユニットがＳＩＰＴＯ接続を許容するかを判別することは、
ホーム加入者サーバー（ＨＳＳ）データベースから無線通信ユニットに対する格納されたプロファイルデータに接続する段階を含み、
前記プロファイルデータは、無線通信ユニットがＳＩＰＴＯルートに対する接続権限を有しているか否かを示す指示子を含むことを特徴とする、請求項６に記載の判別するための方法。
【請求項８】
前記ネットワークオペレータが利用するＳＩＰＴＯに対するブレーキアウトをネットワーク要素に許容するかを判別することは、
前記ネットワークオペレータが、
個別ＰＤＮに対して利用するＳＩＰＴＯに対するブレーキアウトをネットワーク要素に許容することを含むことを特徴とする、請求項６または７に記載の判別するための方法。
【請求項９】
ＳＩＰＴＯケイパビリティーが存在する外部ＰＤＮから動作及び関連メカニズムを利用する指示子を受信する段階をさらに含むことを特徴とする、請求項６〜８のいずれかに記載の判別するための方法。
【請求項１０】
前記受信する段階は、
外部ＰＤＮ内に位置する外部ＰＤＮルーターからＳＩＰＴＯケイパビリティーメッセージを受信する段階を含むことを特徴とする、請求項９に記載の判別するための方法。
【請求項１１】
前記外部ＰＤＮは、
ＩＰバックボーン伝送ネットワーク階層（ＴＮＬ、Ｔｒａｎｓｐｏｒｔ Ｎｅｔｗｏｒｋ Ｌａｙｅｒ）の少なくとも一部を含むことを特徴とする、請求項６〜１０のいずれかに記載の判別するための方法。
【請求項１２】
無線通信ユニット基盤の少なくとも１つのＰＮＤ連結に対して無線接続ノードネットワーク要素にＳＩＰＴＯ許容指示子を提供する段階をさらに含むことを特徴とする、請求項６〜１１のいずれかに記載の判別するための方法。
【請求項１３】
コアネットワーク要素は、
移動性管理エンティティー（ＭＭＥ、ｍｏｂｉｌｉｔｙ ｍａｎａｇｅｍｅｎｔ ｅｎｔｉｔｙ）であることを特徴とする、請求項６〜１２のいずれかに記載の判別するための方法。
【請求項１４】
コアネットワーク要素から外部ＰＤＮの遠隔ネットワーク要素に
手続のグループのうち少なくとも１つでＳＩＰＴＯを使用するための機会をシグナリングする段階をさらに含み、
前記手続のグループは、
初期接続メッセージ（ＩＡＭ）が無線通信ユニットから受信される；
ＰＤＮ連結要請が無線通信ユニットから受信される；及び
ＰＤＰコンテキスト要請が無線通信ユニットから受信されること；を含むことを特徴とする、請求項６〜１３のいずれかに記載の判別するための方法。
【請求項１５】
ＳＩＰＴＯルートが支援されるかを判別することに応答して、
ＩＰ（ｉｎｔｅｒｎｅｔ ｐｒｏｔｏｃｏｌ）アドレス割り当てを開始する段階をさらに含むことを特徴とする、請求項６〜１４のいずれかに記載の判別するための方法。
【請求項１６】
ＩＰアドレス割り当てを開始する段階は、
ＳＩＰＴＯ許容ＩＰアドレスの範囲からＩＰアドレス割り当てを開始する段階を含み、
前記ＳＩＰＴＯ許容ＩＰアドレスの範囲は、ＳＩＰＴＯケイパビリティーを支援するバックホール提供者（ｂａｃｋｈａｕｌ ｐｒｏｖｉｄｅｒ）によって支援されることを特徴とする、請求項１５に記載の判別するための方法。
【請求項１７】
前記ＩＰアドレス割り当てを開始する段階は、
ＳＩＰＴＯケイパビリティーを識別する指示子を含む外部ＰＤＮに要請メッセージをルーティングする段階を含むことを特徴とする、請求項１５または１６に記載の判別するための方法。
【請求項１８】
外部パケットデータネットワーク（ｅｘｔｅｒｎａｌ ＰＤＮ、ｅｘｔｅｒｎａｌ ｐａｃｋｅｔ ｄａｔａ ｎｅｔｗｏｒｋ）と無線通信ユニットとの間にＩＰデータルーティングのための選択ＩＰトラフィックオフロード（ＳＩＰＴＯ、ｓｅｌｅｃｔｉｖｅ ＩＰ Ｔｒａｆｆｉｃ ｏｆｆｌｏａｄ）が支援されるか否かを判別するための実行可能なプログラムコードを含むコンピュータプログラム製品であって、
コアネットワーク要素で、
外部ＰＤＮに接続するための無線通信ユニットから要請を受信する段階と；
次の同意決定（ｐｏｓｉｔｉｖｅ ｄｅｔｅｒｍｉｎａｔｉｏｎ）によってＳＩＰＴＯルートが支援されることを判別する段階と；を含んで行うプログラムコードを含み、
上記同意決定は、
要請する無線通信ユニットの位置がＳＩＰＴＯを支援するか；
無線通信ユニットがＳＩＰＴＯ接続を許容するか；
外部ＰＤＮがＳＩＰＴＯを支援するルーターを含むか；
ネットワーク要素がＩＰデータオフロードを行うために認証されたか；
ネットワーク要素がＩＰデータオフロードを行うための十分な構成ケイパビリティー（ｃｏｎｆｉｇｕｒａｔｉｏｎ ｃａｐａｂｉｌｉｔｉｅｓ）を含むか；及び
ネットワークオペレータが利用するＳＩＰＴＯに対するブレーキアウトをネットワーク要素に許容するか；を判別することを含むことを特徴とする、コンピュータプログラム製品。
【請求項１９】
外部パケットデータネットワーク（ｅｘｔｅｒｎａｌ ＰＤＮ、ｅｘｔｅｒｎａｌ ｐａｃｋｅｔ ｄａｔａ ｎｅｔｗｏｒｋ）と無線通信ユニットとの間にＩＰデータルーティングのための選択ＩＰトラフィックオフロード（ＳＩＰＴＯ、ｓｅｌｅｃｔｉｖｅ ＩＰ Ｔｒａｆｆｉｃ ｏｆｆｌｏａｄ）が支援されるか否かを判別するためのコアネットワーク要素であって、
前記コアネットワーク要素は、信号処理モジュールを含み、
前記信号処理モジュールは、
外部ＰＤＮに接続するための無線通信ユニットから要請を受信する段階と；
次の同意決定（ｐｏｓｉｔｉｖｅ ｄｅｔｅｒｍｉｎａｔｉｏｎ）によってＳＩＰＴＯルートが支援されることを判別する段階；を含んで行い、
上記同意決定は、
要請する無線通信ユニットの位置がＳＩＰＴＯを支援するか；
無線通信ユニットがＳＩＰＴＯ接続を許容するか；
外部ＰＤＮがＳＩＰＴＯを支援するルーターを含むか；
ネットワーク要素がＩＰデータオフロードを行うために認証されたか；
ネットワーク要素がＩＰデータオフロードを行うための十分な構成ケイパビリティー（ｃｏｎｆｉｇｕｒａｔｉｏｎ ｃａｐａｂｉｌｉｔｉｅｓ）を含むか；及び
ネットワークオペレータが利用するＳＩＰＴＯに対するブレーキアウトをネットワーク要素に許容するか；を判別することを含むことを特徴とする、コアネットワーク要素。
【請求項２０】
外部パケットデータネットワーク（ｅｘｔｅｒｎａｌ ＰＤＮ、ｅｘｔｅｒｎａｌ ｐａｃｋｅｔ ｄａｔａ ｎｅｔｗｏｒｋ）と無線通信ユニットとの間にＩＰデータルーティングのための選択ＩＰトラフィックオフロード（ＳＩＰＴＯ、ｓｅｌｅｃｔｉｖｅ ＩＰ Ｔｒａｆｆｉｃ ｏｆｆｌｏａｄ）が支援されるか否かを判別するための集積回路であって、
前記集積回路は、信号処理モジュールを含み、
前記信号処理モジュールは、
外部ＰＤＮに接続するための無線通信ユニットから要請を受信する段階と；
次の同意決定（ｐｏｓｉｔｉｖｅ ｄｅｔｅｒｍｉｎａｔｉｏｎ）によってＳＩＰＴＯルートが支援されることを判別する段階；を含んで行い、
上記同意決定は、
要請する無線通信ユニットの位置がＳＩＰＴＯを支援するか；
無線通信ユニットがＳＩＰＴＯ接続を許容するか；
外部ＰＤＮがＳＩＰＴＯを支援するルーターを含むか；
ネットワーク要素がＩＰデータオフロードを行うために認証されたか；
ネットワーク要素がＩＰデータオフロードを行うための十分な構成ケイパビリティー（ｃｏｎｆｉｇｕｒａｔｉｏｎ ｃａｐａｂｉｌｉｔｉｅｓ）を含むか；及び
ネットワークオペレータが利用するＳＩＰＴＯに対するブレーキアウトをネットワーク要素に許容するか；を判別することを含むことを特徴とする、コアネットワーク要素。
【請求項２１】
ネットワークオペレータのコア伝送ネットワークを含む通信ネットワークでＩＰ（ｉｎｔｅｒｎｅｔ ｐｒｏｔｏｃｏｌ）データをルーティングするための方法であって、
ネットワークオペレータのコア伝送ネットワークを介したＩＰルート以外に、外部ＰＤＮ（ｐａｃｋｅｔ ｄａｔａ ｎｅｔｗｏｒｋ）と無線通信ユニットとの間にＩＰデータルーティングのために選択ＩＰトラフィックオフロード（ＳＩＰＴＯ）が許容されるかを判別する段階と；
ＳＩＰＴＯを活性化するためのトリガーを受信する段階と；
トリガーに応答してＳＩＰＴＯルートを活性化する段階と；を含むことを特徴とする、ＩＰデータをルーティングするための方法。
【請求項２２】
ＩＰデータルーティングのために選択ＩＰトラフィックオフロード（ＳＩＰＴＯ）が許容されるかを判別する段階は、
初期接続ＰＤＮ連結中に行われることを特徴とする、請求項２１に記載のＩＰデータをルーティングするための方法。
【請求項２３】
ＳＩＰＴＯ活性化のためのトリガーを受信する段階は、
リソースバウンドデータトラフィック状況が存在するか否かを判別する段階；及び
無線通信ユニットがＳＩＰＴＯが支援されるネットワークオペレータの無線接続ネットワークに移行する段階；のうち少なくとも１つを含むことを特徴とする、請求項２１または２２に記載のＩＰデータをルーティングするための方法。
【請求項２４】
ＩＰデータ交換のために、ＳＩＰＴＯが活性化された時、外部ＰＤＮに位置するネットワーク要素に通知する段階；をさらに含むことを特徴とする、請求項２１〜２３のいずれかに記載のＩＰデータをルーティングするための方法。
【請求項２５】
コアネットワーク要素から外部ＰＤＮの遠隔ネットワーク要素に
手続のグループのうち少なくとも１つでＳＩＰＴＯを活性化するためのケイパビリティー（ｃａｐａｂｉｌｉｔｙ）をシグナリングする段階をさらに含み、
前記手続のグループは、
初期接続メッセージ（ＩＡＭ）が無線通信ユニットから受信されること；
ＰＤＮ連結要請が無線通信ユニットから受信されること；
ＰＤＰコンテキスト要請が無線通信ユニットから受信されること；または、
ハンドオーバーシグナリング手続、ＰＤＰにコンテキスト更新手続、またはＥＰＳベアラー更新手続が発生すること；を含むことを特徴とする、請求項２１〜２４のいずれかに記載のＩＰデータをルーティングするための方法。
【請求項２６】
次のグループから少なくとも１つに応答してＳＩＰＴＯルートを不活性化する段階；をさらに含み、
前記グループは、
（ｉ）無線通信ユニットがこれ以上認証されないこと；
（ｉｉ）無線通信ユニットがＳＩＰＴＯ接続を提供する無線接続ノードのカバレージから離脱すること；
（ｉｉｉ）無線通信ユニットＰＤＮ連結が終了すること；
（ｉｖ）トラフィックオーバーロード条件がこれ以上適用されないこと；及び
（ｖ）ＳＩＰＴＯトンネルがルーターによって解除されること；を含むことを特徴とする、請求項２１〜２５のいずれかに記載のＩＰデータをルーティングするための方法。
【請求項２７】
無線接続ノードから離れて移動すれば、
ＮＢ、Ｈ（ｅ）ＮＢまたはコアネットワークＭＭＥのうち少なくとも１つからＳＩＰＴＯ不活性化メッセージをシグナリングする段階；をさらに含むことを特徴とする、請求項２１〜２６のいずれかに記載のＩＰデータをルーティングするための方法。
【請求項２８】
ネットワークオペレータのコア伝送ネットワークを含む通信ネットワークでＩＰ（ｉｎｔｅｒｎｅｔ ｐｒｏｔｏｃｏｌ）データをルーティングするための実行可能なプログラムコードを含むコンピュータプログラム製品であって、
ネットワークオペレータのコア伝送ネットワークを介したＩＰルート以外に、外部ＰＤＮ（ｐａｃｋｅｔ ｄａｔａ ｎｅｔｗｏｒｋ）と無線通信ユニットとの間にＩＰデータルーティングのために選択ＩＰトラフィックオフロード（ＳＩＰＴＯ）が許容されるか否かを判別する段階と；
ＳＩＰＴＯを活性化するためのトリガーを受信する段階と；
トリガーに応答してＳＩＰＴＯルートを活性化する段階と；を含んで行うことを特徴とする、実行可能なプログラムコードを含むコンピュータプログラム製品。
【請求項２９】
ネットワークオペレータのコア伝送ネットワークを含む通信ネットワークでＩＰ（ｉｎｔｅｒｎｅｔ ｐｒｏｔｏｃｏｌ）データをルーティングするためのネットワーク要素であって、
前記ネットワーク要素は、信号処理モジュールを含み、
前記信号処理モジュールは、
ネットワークオペレータのコア伝送ネットワークを介したＩＰルート以外に、外部ＰＤＮ（ｐａｃｋｅｔ ｄａｔａ ｎｅｔｗｏｒｋ）と無線通信ユニットとの間にＩＰデータルーティングのために選択ＩＰトラフィックオフロード（ＳＩＰＴＯ）が許容されるかを判別する段階と；
ＳＩＰＴＯを活性化するためのトリガーを受信する段階と；
トリガーに応答してＳＩＰＴＯルートを活性化する段階と；を含んで行うことを特徴とする、ネットワーク要素。
【請求項３０】
前記ネットワーク要素は、
ＮＢ、Ｈ（ｅ）ＮＢ、またはコアネットワークＭＭＥのうちいずれか１つであることを特徴とする請求項２９に記載のネットワーク要素。
【請求項３１】
ネットワークオペレータのコア伝送ネットワークを含む通信ネットワークでＩＰ（ｉｎｔｅｒｎｅｔ ｐｒｏｔｏｃｏｌ）データをルーティングするための集積回路であって、
前記集積回路は、信号処理モジュールを含み、
前記信号処理モジュールは、
ネットワークオペレータのコア伝送ネットワークを介したＩＰルート以外に、外部ＰＤＮ（ｐａｃｋｅｔ ｄａｔａ ｎｅｔｗｏｒｋ）と無線通信ユニットとの間にＩＰデータルーティングのために選択ＩＰトラフィックオフロード（ＳＩＰＴＯ）が許容されるかを判別する段階と；
ＳＩＰＴＯを活性化するためのトリガーを受信する段階と；
トリガーに応答してＳＩＰＴＯルートを活性化する段階と；を含んで行うことを特徴とする、集積回路。
【請求項３２】
外部ＰＤＮ（ｐａｃｋｅｔ ｄａｔａ ｎｅｔｗｏｒｋ）ルーターを含むＴＮＬ（ｔｒａｎｓｐｏｒｔ ｎｅｔｗｏｒｋ ｌａｙｅｒ）内でＳＩＰＴＯを支援するための方法において、
外部ＰＤＮと少なくとも１つの無線通信ユニットとの間にＩＰデータをルーティングするための複数の代案ＩＰルートを確立する段階であって、前記少なくとも１つのＩＰルートは、ＯＳＰＦ、ＩＳ−ＩＳプロトコル、Ｉ−ＢＧＰ、伝送エンジニアリングプロトコルに基盤したＭＰＬＳのうち少なくとも１つを利用するＴＮＬ内のＳＩＰＴＯルートを含む、 確立する段階と；
ＴＮＬ内に位置する少なくとも１つのネットワーク要素に接続するために少なくとも１つの無線通信ユニットと関連したＳＩＰＴＯ機会メッセージを受信する段階と；
ＯＳＰＦ、ＩＳ−ＩＳプロトコル、Ｉ−ＢＧＰ、伝送エンジニアリングプロトコルに基盤したＭＰＬＳのうち少なくとも１つを利用するＴＮＬ内のルーティングスイッチを開始する段階と；
前記開始する段階に応答して、ＰＤＮルーターを介してＴＮＬ内に位置する少なくとも１つのネットワーク要素と少なくとも１つの無線通信ユニットとの間のＳＩＰＴＯルートを活性化する段階と；を含むことを特徴とする、ＳＩＰＴＯを支援するための方法。
【請求項３３】
不活性化トリガーに応答してＰＤＮ及びＴＮＬを介してＳＩＰＴＯルートを不活性化する段階；を含むことを特徴とする、請求項３２に記載のＳＩＰＴＯを支援するための方法。
【請求項３４】
前記不活性化する段階は、
ｅＮＢ、Ｈ（ｅ）ＮＢ、ＭＭＥまたは、外部ＰＤＮのうち少なくとも１つからの制御によって行われることを特徴とする、請求項３３に記載のＳＩＰＴＯを支援するための方法。
【請求項３５】
外部ＰＤＮ（ｐａｃｋｅｔ ｄａｔａ ｎｅｔｗｏｒｋ）ルーターを含むＴＮＬ（ｔｒａｎｓｐｏｒｔ ｎｅｔｗｏｒｋ ｌａｙｅｒ）内でＳＩＰＴＯを支援するための実行可能なプログラムコードを含むコンピュータプログラム製品であって、
外部ＰＤＮと少なくとも１つの無線通信ユニットとの間にＩＰデータをルーティングするための複数の代案ＩＰルートを確立する段階であって、前記少なくとも１つのＩＰルートは、ＯＳＰＦ、ＩＳ−ＩＳプロトコル、Ｉ−ＢＧＰ、伝送エンジニアリングプロトコルに基盤したＭＰＬＳのうち少なくとも１つを利用するＴＮＬ内のＳＩＰＴＯルートを含む、確立する段階と；
ＴＮＬ内に位置する少なくとも１つのネットワーク要素に接続するために少なくとも１つの無線通信ユニットと関連したＳＩＰＴＯ機会メッセージを受信する段階と；
ＯＳＰＦ、ＩＳ−ＩＳプロトコル、Ｉ−ＢＧＰ、伝送エンジニアリングプロトコルに基盤したＭＰＬＳのうち少なくとも１つを利用するＴＮＬ内のルーティングスイッチを開始する段階と；
前記開始する段階に応答して、ＰＤＮルーターを介してＴＮＬ内に位置する少なくとも１つのネットワーク要素と少なくとも１つの無線通信ユニットとの間のＳＩＰＴＯルートを活性化する段階と；を含んで行うことを特徴とする、実行可能なプログラムコードを含むコンピュータプログラム製品。
【請求項３６】
外部ＰＤＮ（ｐａｃｋｅｔ ｄａｔａ ｎｅｔｗｏｒｋ）ルーターを含むＴＮＬ（ｔｒａｎｓｐｏｒｔ ｎｅｔｗｏｒｋ ｌａｙｅｒ）内でＳＩＰＴＯを支援するためのネットワーク要素であって、
前記ネットワーク要素は、信号処理モジュールを含み、
前記信号処理モジュールは、
外部ＰＤＮと少なくとも１つの無線通信ユニットとの間にＩＰデータをルーティングするための複数の代案ＩＰルートを確立する段階であって、前記少なくとも１つのＩＰルートは、ＯＳＰＦ、ＩＳ−ＩＳプロトコル、Ｉ−ＢＧＰ、伝送エンジニアリングプロトコルに基盤したＭＰＬＳのうち少なくとも１つを利用するＴＮＬ内のＳＩＰＴＯルートを含む、確立する段階；
ＴＮＬ内に位置する少なくとも１つのネットワーク要素に接続するために少なくとも１つの無線通信ユニットと関連したＳＩＰＴＯ機会メッセージを受信する段階と；
ＯＳＰＦ、ＩＳ−ＩＳプロトコル、Ｉ−ＢＧＰ、伝送エンジニアリングプロトコルに基盤したＭＰＬＳのうち少なくとも１つを利用するＴＮＬ内のＴＮＬ内のルーティングスイッチを開始する段階と；
前記開始する段階に応答して、ＰＤＮルーターを介してＴＮＬ内に位置する少なくとも１つのネットワーク要素と少なくとも１つの無線通信ユニットとの間のＳＩＰＴＯルートを活性化する段階と；を含んで行うことを特徴とする、ネットワーク要素。
【請求項３７】
外部ＰＤＮ（ｐａｃｋｅｔ ｄａｔａ ｎｅｔｗｏｒｋ）ルーターを含むＴＮＬ（ｔｒａｎｓｐｏｒｔ ｎｅｔｗｏｒｋ ｌａｙｅｒ）内でＳＩＰＴＯを支援するための集積回路であって、
前記集積回路は、信号処理モジュールを含み、
前記信号処理モジュールは、
外部ＰＤＮと少なくとも１つの無線通信ユニットとの間にＩＰデータをルーティングするための複数の代案ＩＰルートを確立する段階であって、前記少なくとも１つのＩＰルートは、ＯＳＰＦ、ＩＳ−ＩＳプロトコル、Ｉ−ＢＧＰ、伝送エンジニアリングプロトコルに基盤したＭＰＬＳのうち少なくとも１つを利用するＴＮＬ内のＳＩＰＴＯルートを含む、確立する段階と；
ＴＮＬ内に位置する少なくとも１つのネットワーク要素に接続するために少なくとも１つの無線通信ユニットと関連したＳＩＰＴＯ機会メッセージを受信する段階と；
ＯＳＰＦ、ＩＳ−ＩＳプロトコル、Ｉ−ＢＧＰ、伝送エンジニアリングプロトコルに基盤したＭＰＬＳのうち少なくとも１つを利用するＴＮＬ内のルーティングスイッチを開始する段階と；
前記開始する段階に応答して、ＰＤＮルーターを介してＴＮＬ内に位置する少なくとも１つのネットワーク要素と少なくとも１つの無線通信ユニットとの間のＳＩＰＴＯルートを活性化する段階と；を含んで行うことを特徴とする、集積回路。
【発明の詳細な説明】
【技術分野】
【０００１】
本発明は、ルーティング制御のためのネットワーク要素、集積回路、及び方法に関する。本発明は、制限されないが、Ｅ−ＵＴＲＡＮ（Ｅｖｏｌｖｅｄ ＵＭＴＳ（Ｕｎｉｖｅｒｓａｌ Ｍｏｂｉｌｅ Ｔｅｌｅｃｏｍｍｕｎｉｃａｔｉｏｎ Ｓｙｓｔｅｍ）Ｔｅｒｒｅｓｔｒｉａｌ Ｒａｄｉｏ Ａｃｃｅｓｓ Ｎｅｔｗｏｒｋ）内のＳＩＰＴＯ（ｓｅｌｅｃｔｉｖｅ ＩＰ Ｔｒａｆｆｉｃ ｏｆｆｌｏａｄ）を利用する機会的（ｏｐｐｏｔｕｎｉｓｔｉｃ）でなルーティング制御のためのネットワーク要素及び方法に適用するためのものである。
【背景技術】
【０００２】
ＥＰＣ（Ｅｖｏｌｖｅｄ Ｐａｃｋｅｔ Ｃｏｒｅ）は、ＬＴＥ（ｌｏｎｇ−ｔｅｒｍ ｅｖｏｌｕｔｉｏｎ）及び他の接続技術による使用のための３ＧＰＰ（３ｒｄ ｇｅｎｅｒａｔｉｏｎ ｐａｒｔｎｅｒｓｈｉｐ ｐｒｏｊｅｃｔ）リリース−８に定義されたインターネットプロトコル基盤のコアネットワークである。ＥＰＣは、ＩＭＳ（ＩＰ Ｍｕｌｔｉｍｅｄｉａ Ｓｕｂｓｙｓｔｅｍ）で提供されるもののような、多様なサービスに対する接続を効果的に提供するための単純化されたオール−ＩＰ（ａｌｌ−ＩＰ）コアネットワークアキテクチャーを提供することを目標にする。３ＧＰＰ ＥＰＣは、無線通信／モバイル装置（３ＧＰＰ用語でＵＥ（Ｕｓｅｒ Ｅｑｕｉｐｍｅｎｔという）がパケットデータネットワーク（ＰＤＮ、Ｐａｃｋｅｔ Ｄａｔａ Ｎｅｔｗｏｒｋ）に接続することができるようにする手段を提供する。現在の標準でＵＥがＰＤＮに接続することができる唯一の手段は、ＰＤＮゲートウェイ（ＰＤＮ ＧＷ）の手段によるものである。これは、トラフィックがＰＤＮ ＧＷに到達する前に全体ＥＰＣ（Ｅｖｏｌｖｅｄ Ｐａｃｋｅｔ Ｃｏｒｅ）を横切ることが要求される。ＥＰＣは、ユーザＩＰデータプグラムのルーティングのために必然的にＭＭＥ及び接続−不可ゲートウェイ（ａｃｃｅｓｓ−ａｇｎｏｓｔｉｃ Ｇａｔｅｗａｙｓ）で構成される。現在ＵＥは、ＥＰＣネットワーク（時にはコアネットワークという）の手段によって、ＰＤＮ ＧＷ及びＳＧｉインターフェースを介して、ＰＤＮに接続する。
【０００３】
ＳＩＰＴＯ（Ｓｅｌｅｃｔｉｖｅ ＩＰ Ｔｒａｆｆｉｃ ｏｆｆｌｏａｄ）は、無線接続ノード（ｒａｄｉｏ ａｃｃｅｓｓ ｎｏｄｅ、例えば、ｅＮｏｄｅＢ（ｅＮＢ）またはＨｏｍｅ Ｎｏｄｅ ＢまたはＨｏｍｅ ｅＮｏｄｅＢ（Ｈ（ｅ）ＮＢ））によってＰＤＮ外部とＩＰデータを直接交換ことができるようにする手段を提供するメカニズムとして知られている。図１は、ＳＩＰＴＯを利用する公知の第１メカニズムを示す。ここで、ＵＥ １０５は、ＥＰＣを介してＰＤＮ１３５の外部とＩＰデータを交換する。ＩＰデータ１３０の交換は、ｅＮＢまたはＨ（ｅ）ＮＢ １２０と、Ｓ−ＧＷ（ｓｅｒｖｅｒ−ｇａｔｅｗａｙ）またはＰＤＮ ＧＷ １２５を介して行われる。ＩＰデータ１１５の交換は、ｅＮＢまたはＨ（ｅ）ＮＢ １２０からｅＮＢまたはＨ（ｅ）ＮＢ １２０と結合されたＧＧＳＮ（Ｇａｔｅｗａｙ ＧＰＲＳ（Ｇｅｎｅｒａｌ Ｐａｃｋｅｔ Ｒａｄｉｏ Ｓｙｓｔｅｍ）Ｓｕｐｐｏｒｔ Ｎｏｄｅ）またはＰＤＮ ＧＷ １１０を介してスイッチ（ｓｗｉｔｃｈｅｄ）される。その後、ＩＰデータは、外部ＰＤＮ１３５と直接交換される。
【０００４】
図２は、ＳＩＰＴＯを利用する公知の第２メカニズム２００を示す。ここで、ＵＥ２０５は、また、 ＥＰＣを介して外部ＰＤＮ２３５とＩＰデータを交換する。ＩＰデータ２３０の交換は、また、ｅＮＢまたはＨ（ｅ）ＮＢ ２２０及びＳ−ＧＷ（ｓｅｒｖｅｒ−ｇａｔｅｗａｙ）またはＰＤＮ ＧＷ ２２５を介して行われる。また、ＥＰＣを介したＩＰデータ交換と対照的に、ネットワークは、直接ＳＩＰＴＯ連結を使用することを決定することができる。ここで、ＩＰデータ２１５の交換は、ｅＮＢまたはＨ（ｅ）ＮＢ ２２０及びｅＮＢまたはＨ（ｅ）ＮＢ ２２０と連結されたＮＡＴ（ｎｏｔａｔｉｏｎａｌ ａｄｄｒｅｓｓ ｔｒａｎｓｌａｔｉｏｎ）モジュールまたは階層−３ルーター（ｌａｙｅｒ−３ ｒｏｕｔｅｒ）２１０を介して行われる。その後、ＩＰデータは、外部ＰＤＮ２３５と直接交換される。
【０００５】
したがって、ＳＩＰＴＯを使用するために、ＵＥは、ＳＩＰＴＯ連結に対するスイッチを活性化(activate)（ＳＩＰＴＯ“ブレーキアウト（ｂｒｅａｋｏｕｔ）”という用語で使用される）させるために、追加の、専用のＰＤＮ連結を生成することが必要である。したがって、必須的に、ＵＥは、ブレーキアウトを開始しなければならない。さらに、モバイルＩＰが３ＧＰＰリンクのトップで活性化されなければ（これは現在３ＧＰＰ標準開発Ｒｅｌ．９で禁止される）、ＳＩＰＴＯからＳＩＰＴＯではない接続への連結に対する移動性の機会はなく、または、その逆も同様である。最後に、ＳＩＰＴＯブレーキアウトは、要求される場合に発生しなければならない。すなわち、ＵＥは、ＳＩＰＴＯを使用するためには、正しい状態が存在していることを認知しなければならない。したがって、ＳＩＰＴＯ ＰＤＮ連結の使用に対してブレーキアウトを可能にするために、刺激が端末によって受信されることが必要である。
【０００６】
多くの前述した制約にもかかわらず、ＳＩＰＴＯ連結を利用したＵＥ及びＰＤＮサーバー間のそのようなデータの直接交換は、いくつかのメリットを提供する。例えば、ＳＩＰＴＯを使用するデータの直接交換は、ネットワークオペレータ（Ｎｅｔｗｏｒｋ Ｏｐｅｒａｔｏｒ）がデータトラフィック超過を無くすことができるようにする。さらに、一部の場合では、エンドユーザーに対するさらに良い性能が達成されることができる。例えば、ホームネットワークまたはエンタープライズネットワーク状況で、エンドユーザーが連結したネットワークが物理的にエンドユーザーに対して閉まっている場合、または無線接続ノード（ｒａｄｉｏ ａｃｃｅｓｓ ｎｏｄｅ）に接続してさえいる場合である。一部の場合に、ＳＩＰＴＯは、それのみが接続を可能とするネットワーク、特に、ホームネットワーク（例えば、ｈｏｍｅ ＷＬＡＮに接続を提供するＨｏｍｅ ｅＮｏｄｅＢ）に接続を提供することができる。
【発明の概要】
【発明が解決しようとする課題】
【０００７】
それにもかかわらず、前述した制限以外に、ＳＩＰＴＯメカニズムを利用する時、いくつかの内在した問題が存在する。
【０００８】
第一に、ＳＩＰＴＯ接続は、個別ＰＤＮ連結を要請することを想定されている。これは、ＵＥが新しいＩＰアドレスを得、新しい連結を開始するか、またはターゲットネットワークに対して存在するクライアント連結を修正しなければならないことを意味する。これは、ＵＥが必ずＳＩＰＴＯの利用可能性を認知しなければならないし、代案のＳＩＰＴＯ連結を利用するためには、その存在するＩＰ連結のブレーキアウトを可能にするために特定の動作を行わなければならないことと同様に、存在するＵＥ、そして、個別に、ＳＩＰＴＯを支援するためのクライアントソフトウェアの更新を要求する。
【０００９】
第二に、一般に認められた理解としては、追加ＰＤＮ連結の結果として、ＩＰデータの直接交換のためのＳＩＰＴＯの使用は、新しいＩＰアドレス割り当てが要求されることである。ＩＰアドレス移動性が一部のメカニズムを支援することが可能であるとしても、たった３個のこれまで考慮されてきたオプションしかない。第１の考慮は、無線接続モードで移動性アンカーを使用することである。それにより、無線接続ノードによって提供される無線カバレージ内でＩＰアウトバウンド移動性が提供することができる。この第１の考慮は、ＩＰルーターをネットワークオペレータのネットワークのエッジにトロンボーンバック（ｔｒｏｍｂｏｎｅ ｂａｃｋ）するように強制しなければならないことに弱点がある。ＳＩＰＴＯの主な目的は、少なくともネットワークオペレータの観点から、バックホールデータトラフィックをオフロード（ｏｆｆ−ｌｏａｄ）することにあるので、これは、非常に大きい不利益である。第二の考慮は、ＳＩＰＴＯ及びＰＤＮ ＧＷの両方を接続することができるＰＤＮ内でモバイルＩＰを使用することである。すると、３ＧＰＰシステムによって提供されるＩＰアドレスは、ＰＤＮでモバイルＩＰホームエージェントに登録されるためにＣｏＡ（ｃａｒｅ ｏｆ ａｄｄｒｅｓｓ）になることができる。この考慮は、そのアプリケーションで３ＧＰＰ上のモバイルＩＰ（Ｍｏｂｉｌｅ ＩＰ ｏｖｅｒ ３ＧＰＰ）接続がリリース８及びリリース９で隠されたもののように、深刻に制限される。したがって、ただ新しいターミナル及びコアネットワークだけをこのメカニズムに採用することができる。第３の考慮は、移動性支援を提供しないことである。ここで、ＵＥは、ＳＩＰＴＯオフロード状況に移動する時に確立された任意のセッションを失う。第１考慮のように、ユーザ−経験問題を避けるために、エンドユーザーからサービス不連続を“隠す”ために、クライアントソフトウェアに相当な変化が要求される。
【００１０】
第三に、他の可能なアプローチは複雑になる可能性があり、基本的に相当な追加費用がかかってしまう。例えば、現在論議されるいずれか１つのアプローチは、無線接続ノードで多くのコアネットワーク機能を利用する。しかし、このようなアプローチは、大部分のモバイルオペレータに評判が悪い。彼らは、これがＳＩＰＴＯ機能の単位価格を上昇させることを懸念している。現在論議されている他のアプローチは、無線接続ノードのＮＡＴ機能を利用することを含む。しかし、このようなアプローチは、アプリケーション相互作用と同様に、ＤＮＳ、ＤＨＣＰ構成のような、Ｌ３関連機能を複雑にする。それにより、複雑な構成及びゲートウェイがどんな重要な配置(non-trivial deployment)に対しても必要になる可能性がある。これは、エンタープライズＳＩＰＴＯサービスに対するソリューションを不可能にすることがある。
【００１１】
上記の問題は、また、外部ＰＤＮに接続するためにＮＡＴ（ｎｏｔａｔｉｏｎａｌ ａｄｄｒｅｓｓ ｔｒａｎｓｌａｔｉｏｎ）を使用するものの公知メカニズムにも当てはまる。また、ＮＡＴアプローチを採択することは、アプリケーション階層ゲートウェイが要求される。さらに、ＮＡＴ構成要求は、ブレーキアウトネットワークによって提供される構成サービスと円滑にインターフェースされることができる（特に、動的ホスト構成プロトコル（ＤＨＣＰ、ｄｙｎａｍｉｃ ｈｏｓｔ ｃｏｎｆｉｇｕｒａｔｉｏｎ ｐｒｏｔｏｃｏｌ）技術を利用する場合）。さらに、ＮＡＴの使用は、ＤＮＳ（ｄｏｍａｉｎ ｎａｍｅ ｓｅｖｅｒ）の適当な動作とインターフェースされることができる。ＮＡＴを利用する可能性と関連したさらに大きい問題は、ＵＥがＳＩＰＴＯを利用するか否かに関係なく、ＵＥに対する同一のＩＰアドレスを維持することが不可能であるという点である。したがって、クライアント−サーバーセッションは、新しいＰＤＮ連結が必要ではないとしても、ＮＡＴを干渉（ｉｎｔｅｒｐｏｓｉｎｇ）することによって中断される。
【００１２】
したがって、ルーティング制御のための方法、また、このための集積回路及び改善されたネットワーク要素が要請される。
【課題を解決するための手段】
【００１３】
本発明は、１つ以上の上記した不利益を単一または組合せによって軽減、緩和、またはオフロードするためのものである。本発明の態様は、添付の請求範囲に記述されたＯＴ（ｏｐｐｏｒｔｕｎｉｓｔｉｃ ｔｒａｎｓｐａｒｅｎｔ）ルーティング制御のためのネットワーク要素、集積回路及び方法を提供する。
【００１４】
本発明の態様によれば、選択インターネットプロトコル伝送機会（ＳＩＰＴＯ、ｓｅｌｅｃｔｉｖｅ ｉｎｔｅｒｎｅｔ ｐｒｏｔｏｃｏｌ ｔｒａｎｓｐｏｒｔ ｏｐｐｏｒｔｕｎｉｔｙ）ルートが少なくとも１つの無線通信ユニットによる使用を許容するか否かを識別するための方法、コアネットワーク要素、集積回路及び動作のためのコードを含むコンピュータプログラムコードを提供する。
【００１５】
本発明の他の態様によれば、外部パケットデータネットワーク（ｅｘｔｅｒｎａｌ ＰＤＮ、ｅｘｔｅｒｎａｌ ｐａｃｋｅｔ ｄａｔａ ｎｅｔｗｏｒｋ）と無線通信ユニットとの間にＩＰデータルーティングのための選択ＩＰトラフィックオフロード（ＳＩＰＴＯ、ｓｅｌｅｃｔｉｖｅ ＩＰ Ｔｒａｆｆｉｃ ｏｆｆｌｏａｄ）が支援されるか否かを判別するための方法、コアネットワーク要素、集積回路及び動作のためのコードを含むコンピュータプログラムコードを提供する。
【００１６】
本発明の他の態様によれば、ネットワークオペレータのコア伝送ネットワークを含む通信ネットワークでＩＰ（ｉｎｔｅｒｎｅｔ ｐｒｏｔｏｃｏｌ）データをルーティングするための方法、コアネットワーク要素、集積回路及び動作のためのコードを含むコンピュータプログラムコードを提供する。
【００１７】
本発明の他の態様によれば、外部ＰＤＮ（ｐａｃｋｅｔ ｄａｔａ ｎｅｔｗｏｒｋ）ルーターを含むＴＮＬ（ｔｒａｎｓｐｏｒｔ ｎｅｔｗｏｒｋ ｌａｙｅｒ）内でＳＩＰＴＯを支援するための方法、コアネットワーク要素、集積回路及び動作のためのコードを含むコンピュータプログラムコードを提供する。
【００１８】
以下で説明される実施形態において、ＳＩＰＴＯアプローチ（及び一部の場合にＯＴ（Ｏｐｐｏｒｔｕｎｉｓｔｉｃ Ｔｒａｎｓｐａｒｅｎｔ）ＳＩＰＴＯアプローチ）は、無線通信ユニット（またはＵＥ（ｕｓｅｒ ｅｑｕｉｐｍｅｎｔ））の動作に対してトランスペアレントなものと説明される。したがって、有利にも、無線通信ユニットは、追加のＰＤＮ連結、または、支援のための特定ＵＥクライアントソフトウェアを必要としない。さらに、ＳＩＰＴＯアプローチは、追加の特定機能を提供するためにリリース１０ＵＥを要求せず、移動性手続を行うために必要な無線通信ユニットを要求しない。有利にも、既存の無線通信ユニットは、説明されるメカニズムによって支援されることができる。少なくとも１つの説明される例では、機会が発生した時、採択することができるという点から、まさに同一の構成を利用するように、機会的（ｏｐｐｏｒｔｕｎｉｓｔｉｃ）である。移動性は、ルーティングの操作による手段によって支援される。一実施形態において、ＵＥの移動性アンカーは、ＳＩＰＴＯの場合に、トラフィックがＰＤＮ ＧＷを介するかまたはＰＤＮ ＧＷにルーティングされるか否かに関係なく、ＰＤＮ ＧＷに残すことができる。有利にも、ＳＩＰＴＯメカニズムは、ＮＡＴの使用、アプリケーションレベルゲートウェイ、構成隠し（ｃｏｎｆｉｇｕｒａｔｉｏｎ−ｈｉｄｉｎｇ）または他の機能を要求しない。有利にも、本文献に説明されるＳＩＰＴＯメカニズムは、無線接続ノードへのコアネットワーク機能導入を要求しない。
【００１９】
本発明とこれらの他の側面が以下で説明される実施形態からリファレンスとともにさらに明確で且つさらに詳細に説明される。
【発明の効果】
【００２０】
本発明によれば、ＳＩＰＴＯアプローチ（及び一部の場合にＯＴ（Ｏｐｐｏｒｔｕｎｉｓｔｉｃ Ｔｒａｎｓｐａｒｅｎｔ）ＳＩＰＴＯアプローチ）は、無線通信ユニット（またはＵＥ（ｕｓｅｒ ｅｑｕｉｐｍｅｎｔ））の動作についてトランスペアレントなものと説明された。したがって、無線通信ユニットは、追加的なＰＤＮ連結を要求せず、支援のための特定ＵＥクライアントソフトウェアをも要求しない。さらに、ＳＩＰＴＯアプローチは、追加の特定機能を提供するためにリリース１０ＵＥを要求せず、移動性手続を行うために必要な無線通信ユニットを要求しない。
【００２１】
より詳細に、本発明の実施形態について例示的な方法として図面を参照して説明する。図面の要素は、単純化及び明確にするために図示され、実際のスケールに合わせて図示されたものではない。参照番号は、理解を容易にするために各図面に含まれている。
【図面の簡単な説明】
【００２２】
【図１】ＧＧＳＮまたはＰＤＮ ＧＷ及びＳＩＰＴＯメカニズムを利用する無線接続ノードに採択された公知の直接ＩＰデータ交換を示す図である。
【図２】ＮＡＴプラスルーター及びＳＩＰＴＯメカニズムを利用する無線接続ノードに採択された公知の直接ＩＰデータ交換を示す図である。
【図３】ＳＩＰＴＯ確立前後のＩＰデータフローを支援するネットワークの実施形態を示す図である。
【図４】ＳＩＰＴＯに対するＯＴＲ（ｏｐｐｏｒｔｕｎｉｓｔｉｃ ｔｒａｎｓｐａｒｅｎｔ ｒｏｕｔｉｎｇ）の活性化を支援するネットワークの実施形態を示す図である。
【図５】ＯＴＲ ＳＩＰＴＯ不活性化メカニズムのネットワークの実施形態を示す図である。
【図６】ＴＳ ２３．４０１、５．３．２．１に対する接続手続修正（Ａｔｔａｃｈ Ｐｒｏｃｅｄｕｒｅ ｍｏｄｉｆｉｃａｔｉｏｎｓ）の実施形態を示す図である。
【図７】ＳＩＰＴＯ ＡＰＮを利用するＵＥの位置に基づくＩＰアドレス割り当ての実施形態を示すフローチャートである。
【図８】ＴＳ ２３．４０１、５．５．１．１．２ Ｘ２基盤のハンドオーバー（Ｓ−ＧＷ再配置とともに及びＳ−ＧＷ再配置無しに）手続に対する修正の実施形態を示す図である。
【図９】ＴＳ ２３．４０１、５．５．１．１．２ Ｘ２基盤のハンドオーバー（Ｓ−ＧＷ再配置とともに及びＳ−ＧＷ再配置無しに）手続に対する修正の実施形態を示す図である。
【図１０】Ｅ−ＵＴＲＡＮインタ−ＲＡＴ（ｉｎｔｅｒ−ｒａｄｉｏａｃｃｅｓｓｔｅｃｈｎｏｌｏｇｙ）ハンドオーバー手続に対する修正の実施形態を示す図である。
【図１１】Ｅ−ＵＴＲＡＮインタ−ＲＡＴ（ｉｎｔｅｒ−ｒａｄｉｏａｃｃｅｓｓｔｅｃｈｎｏｌｏｇｙ）ハンドオーバー手続に対する修正の実施形態を示す図である。
【図１２】Ｅ−ＵＴＲＡＮインタ−ＲＡＴ（ｉｎｔｅｒ−ｒａｄｉｏａｃｃｅｓｓｔｅｃｈｎｏｌｏｇｙ）ハンドオーバー手続に対する修正の実施形態を示す図である。
【図１３】Ｅ−ＵＴＲＡＮインタ−ＲＡＴ（ｉｎｔｅｒ−ｒａｄｉｏａｃｃｅｓｓｔｅｃｈｎｏｌｏｇｙ）ハンドオーバー手続に対する修正の実施形態を示す図である。
【図１４】ＯＴＲ（ｏｐｐｏｒｔｕｎｉｓｔｉｃ ｔｒａｎｓｐａｒｅｎｔ ｒｏｕｔｉｎｇ）活性化手続の実施形態を示す図である。
【図１５】ＯＴＲ（ｏｐｐｏｒｔｕｎｉｓｔｉｃ ｔｒａｎｓｐａｒｅｎｔ ｒｏｕｔｉｎｇ）不活性化手続の実施形態を示す図である。
【図１６】ネットワークオペレータコア伝送ネットワークトポロジーの実施形態を示す図である。
【図１７】ＭＰＬＳ ＴＥメカニズムを利用する最適化されたルーティングを可能にする実施形態が示される図である。
【図１８】本発明の実施形態による信号処理機能を具現するために採択された典型的なコンピューティングシステムを示す図である。
【発明を実施するための形態】
【００２３】
本発明の実施形態は、ＵＥと外部ＰＤＮとの間にＩＰデータの直接交換を支援するＳＩＰＴＯ（ｓｅｌｅｃｔｉｖｅ ＩＰ Ｔｒａｆｆｉｃｏ ｆｆｌｏａｄ）を使用するための機会的（ｏｐｐｏｒｔｕｎｉｓｔｉｃ）及びトランスペアレント（ｔｒａｎｓｐａｒｅｎｔ）メカニズムの用語で説明される。特に、ＵＥは、ＳＩＰＴＯを行うことができるｅＮＢまたはＨ（ｅ）ＮＢのような無線接続ノードの手段によってＳＩＰＴＯ連結を利用してＰＤＮに接続することができる。ＳＩＰＴＯのための機会的及びトランスペアレントルーティング制御は、ホーム（オペレータコアネットワーク伝送；Ｏｐｅｒａｔｏｒｓ ｃｏｒｅ ｎｅｔｗｏｒｋ ｔｒａｎｓｐｏｒｔ）リンクをバイパスする他のルーター（ＳＩＰＴＯを介して）の存在を認知すると共に、無線接続ノードに連結される第１のルーターとＰＤＮネットワークまたはＩＳＰコア両者のルーティング経路に位置する第２のルーターを利用する。しかし、本文献に説明される本発明の概念が他のルーティングオプションが採択されることができるＩＰデータネットワークのいかなる形式でも具現されることができることを当業者なら理解することができる。
【００２４】
以下、ネットワークオペレータのコア伝送ネットワーク（Ｎｅｔｗｏｒｋ Ｏｐｅｒａｔｏｒ｀ｓ ｃｏｒｅ ｔｒａｎｓｐｏｒｔ ｎｅｔｗｏｒｋ）を含む通信ネットワークでＩＰ（ｉｎｔｅｒｎｅｔ ｐｒｏｔｏｃｏｌ）データをルーティングするための方法及びネットワーク要素の詳細な実施形態が説明される。方法（そしてネットワーク要素内の関連されたモジュール）は、無線接続ノードで、外部パケットデータネットワーク（ＰＤＮ、ｐａｃｋｅｔ ｄａｔａ ｎｅｔｗｏｒｋ）に接続するための無線通信ユニットから要請を受信する段階と；要請した無線通信ユニットの位置を判別する段階と；ネットワークオペレータのコア伝送ネットワークを介したＩＰルート以外に、判別された位置で外部ＰＤＮと無線通信ユニットとの間にＩＰデータをルーティングするための選択的ＩＰトラフィックオフロード（ＳＩＰＴＯ、ｓｅｌｅｃｔｉｖｅ ＩＰ Ｔｒａｆｆｉｃ ｏｆｆｌｏａｄ）機会が存在するか否かを判別する段階と；を含む。それに対する反応で、方法は、ＳＩＰＴＯ経路が活性化された時、ＳＩＰＴＯ経路を介して、ネットワークオペレータのコアネットワークをバイパスし、無線通信ユニットと外部ＰＤＮとの間のＩＰデータルーティングを可能にするＩＰアドレス割り当てを開始する段階；をさらに含む。
【００２５】
図３は、ＳＩＰＴＯが確立された前及び後にＩＰデータフローを支援するネットワークの実施形態を示す。図示のように、ネットワークは、まず、一般３ＧＰＰアキテクチャー要素を利用して外部ＰＤＮ ３４０でＵＥ３１５とサーバー３４５との間に第１のＩＰデータフロー３０５を提供する。例えば、ＵＥ ３１５は、無線接続ノード３２０に動作するように連結される。これは、順に、制御平面（Ｃ−ｐｌａｎｅ、ｃｏｎｔｒｏｌ ｐｌａｎｅ）データフロー３１７のためのＳＧＳＮ（ｓｅｒｖｉｎｇ ＧＰＲＳ ｓｕｐｐｏｒｔ ｎｏｄｅ）または移動管理エンティティー（ＭＭＥ、ｍｏｂｉｌｉｔｙ ｍａｎａｇｅｍｅｎｔ ｅｎｔｉｔｙ）３２５と、ユーザ平面（Ｕ−ｐｌａｎｅ、ｕｓｅｒ ｐｌａｎｅ）データフロー３１８のためのＳＧＳＮまたはＳ−ＧＷ（ｓｅｒｖｅｒ ｇａｔｅｗａｙ）３３０の形態でネットワークエンティティーに連結される。ＳＧＳＮ／ＭＭＥ ３２５及びＳＧＳＮ／Ｓ−ＧＷ３３０は、両者共に動作するようにＧＧＳＮまたはＰＤＮ−ＧＷ３２５に連結され、これは、順に、外部ＰＤＮサーバー３４５に動作するように連結される。しかし、ＵＥは、第２のＩＰデータフローネットワーク３１０に示されたように、ＳＩＰＴＯ支援を提供する、無線接続ノード（ｅＮＢ、Ｈ（ｅ）ＮＢ）のカバレージ領域に移動することができる。したがって、ローミングされたネットワーク３１０は、ＳＩＰＴＯ支援が（ａ）ＵＥに対して許容されるか、（ｂ）利得があるか、そして、（ｃ）ＵＥ（３１５）に連結された外部ＰＤＮサーバー３４５に可能であるかを判別する。この場合に、ＳＩＰＴＯは、機会を考慮し、そして、開始される。
【００２６】
図示のように、ＳＩＰＴＯの開始によって、ローミングされたネットワーク３１０は、無線接続ノード３２０を介してＵＥ ３１５と外部ＰＤＮサーバー３４５との間の第２のＩＰデータフローを提供する。特に、無線接続ノード３２０は、ユーザ平面（Ｕ−ｐｌａｎｅ）データフロー３８０を支援するために第１のルーター３５０に動作するように連結され、これは、順に、ＳＩＰＴＯ連結を介して外部ＰＤＮサーバー３４０に動作するように連結される第２のルーター３５５に連結される。特に、制御平面データフローに対する変更はなく、その制御平面データフローは、相変らずＳＧＳＮまたはＭＭＥ ３２５からＧＧＳＮまたはＰＤＮ−ＧＷ ３３５に通過することができる。第２のルーター３５５は、外部ＰＤＮ ３４０内に位置するか、または、図示のように、ＳＩＰＴＯ経路３８０内にどこかに位置することができる。それで、ＩＰデータフロー変更は、無線接続ノード３２０内のルーティング方式（ｒｏｕｔｉｎｇ ｂｅｈａｖｉｏｕｒ）の修正が要求され、さらに、ＰＤＮ ３４０からそしてＰＤＮ ３４０へのルーティング方式の修正が要求される。有利にも、目的する（ターゲット）外部ＰＤＮ ３４０への経路は、差異があっても、ＵＥ ３１５またはＵＥ ３１５内に運営されるクライアントソフトウェアの構成または状態について何らの変更も必要としない。
【００２７】
有利にも、既存のＵＥは、図３のＳＩＰＴＯ連結のようなＳＩＰＴＯ連結を使用することができる。
【００２８】
ＳＩＰＴＯ連結の確立によって、ＵＥは、ＳＩＰＴＯ接続を提供する無線接続ノードのカバーレージに置かれることができる。さらに、ＳＩＰＴＯの使用を示す機会は中断したり、または、ＵＥとＰＤＮ連結は終了などをすることができる。このような場合のうちいずれか１つにおいて、ＳＩＰＴＯセッションは、できれば、ＰＤＮ連結自体とともに、必ず終了しなければならない。ここで、ＳＩＰＴＯセッションを制御する機能は、状態の変化を判別（または認知）できなければならないし、無線接続ノードの観点からＳＩＰＴＯが確立される前にＩＰデータフロー状況に戻るために状態を整理しなければならない。
【００２９】
そこで、一実施形態において、ＳＩＰＴＯは、制限された資源の使用を最適化し、顧客そしてＰＤＮネットワークオペレータに対する性能で利得を提供するために、コアネットワーク（ＣＮ）からユーザ平面トラフィックを無くすために使用されなければならない。そのようなＳＩＰＴＯ連結の使用は、移動オペレータの制御の下にあるものと予想することができる。
【００３０】
一実施形態において、ＰＤＮサーバー３４５と第２のルーター３５５との間のルーティング修正は、ＰＤＮ ３４０内でまたは第１のルーター３５０とＰＤＮ ３４０との間の伝送ネットワークで行われることができる。一実施形態で、もし、第２のルーター３５５がＰＤＮ ３４０内に位置すれば、ルーティング更新情報を交換するために、モバイルオペレータとＰＤＮオペレータとの間に共同の合意（ｃｏｌｌａｂｏｒａｔｉｖｅ ａｇｒｅｅｍｅｎｔ）があり得る。例えば、モバイルオペレータは、ＵＥ ３１５がエンタープライズネットワークにＳＩＰＴＯを行う時、ルーティング更新情報（ｒｏｕｔｉｎｇ ｕｐｄａｔｅ ｉｎｆｏｒｍａｔｉｏｎ）を提供するためにエンタープライズ顧客の同意を得ることができる。また、このモバイルオペレータは、固定されたオペレータの同意を得ることもできる。この場合に、モバイルオペレータは、ＳＩＰＴＯ連結が起きた時、固定されたオペレータとルーティング更新情報を交換することができる。どちらの場合にも、第１のルーター３５０と第２のルーター３５５との間のＩＰデータフロー経路は、少なくともＳＩＰＴＯが活性化された間、Ｐ−ＧＷを介した経路であることが好ましい。第２のルーター３５５の動作を支援する例示的なアキテクチャーは、後述し、図１６及び図１７に示される。
【００３１】
一実施形態において、さらに図３を参照すれば、第１のルーター３５０及び第２のルーター３５５は、言わば、ホームネットワーク内のエンティティーの間に直接連結を提供するために、同一の物理エンティティー（例えば、無線接続ノード３２０で）内で一緒に位置（ｃｏ−ｌｏｃａｔｅｄ）することができる。したがって、この実施形態で、ホームネットワークに対するＰＤＮ連結だけがスイッチされたユーザ平面経路を有し、それにより、コアネットワーク、（他の）ＰＤＮ ＧＷなどに接続するための他のＰＤＮ連結を許容する。一実施形態において、ＳＩＰＴＯ連結を提供するための接続制御は、ただ認証されたＵＥに対するものであり、制限されたセット内で、言わば、オペレータによるものであり、Ｈ（ｅ）ＮＢ所有者によって同意が与えられる。そのような認証は、コアネットワーク内のエンティティーによって制御されることができる。
【００３２】
一実施形態において、最適の経路ルーティングを可能にする経路スイッチを例示するために、共同の合意（ｃｏｌｌａｂｏｒａｔｉｖｅ ａｇｒｅｅｍｅｎｔ）がオペレータ、伝送ネットワーク及びＰＮＤネットワークの間に存在することができる。この実施形態で、メッセージは、ＰＤＮに対する連結を開始し、継続進行するために、コアネットワークから活性化されたＳＩＰＴＯに伝達されることができる。さらに、この実施形態で、メッセージは、また、ＰＤＮ連結が中止されるか、またはＵＳが新しい（ターゲット）無線接続ノードに移動する時、ネットワークから不活性化されたＳＩＰＴＯに伝達されることができる。したがって、移動性が無線接続ノードから遠くなれば、メッセージは、また、ｅＮＢ、Ｈ（ｅ）ＮＢまたはコアネットワークＭＭＥからＳＩＰＴＯが不活性化されるほど、伝送されることができる。したがって、このような条件は、無線接続ノードの第１のルーター３５０とＰＤＮ ３４０の第２のルーター３５５との間にインタラクション（ｉｎｔｅｒａｃｔｉｏｎ）のためのトリガーになることができる。さらに、トリガーは、また、ＰＤＮ ３４０内の整理動作を開始するようにし、これは、オペレータコアネットワークに向かうルーティング経路を更新する。また、無線接続ノードは、例えば、ＳＩリソース消尽メッセージに基礎して、リソース限界状況（ｒｅｓｏｕｒｃｅ ｂｏｕｎｄ ｓｉｔｕａｔｉｏｎ）を支援するためのＳＩＰＴＯ機会が存在するか否かを判別するように構成されることができる。無線接続ノードは、また、第２のルーターがＩＰデータフローを無線接続ノードに（または無線接続ノードから）伝送するかまたは受信するように構成することができるようにするために、ＰＤＮにＳＩＰＴＯが活性化されたことを通知することができる。最後に、そのような共同モードで、ＰＮＤネットワークでまたは、ＩＳＰ伝送ネットワークからＰＤＮネットワークに、ルーティング状態確立及び整理は、ＳＩＰＴＯ連結を支援するために、ＳＩＰＴＯのための機会をトリガーすることができる他の条件によって、ｅＮＢ、Ｈ（ｅ）ＮＢ、ＭＭＥまたは外部ＰＤＮから制御されることが可能でなければならない。
【００３３】
現在、ＰＤＮ連結は、Ｅ−ＵＴＲＡＮから初期接続メッセージ（ＩＡＭ、Ｉｎｉｔｉａｌ Ａｔｔａｃｈ ｍｅｓｓａｇｅ）またはＵＥ開始追加ＰＤＮ連結手続（ＵＥ ｉｎｉｔｉａｔｅｄ Ａｄｄｉｔｉｏｎａｌ ＰＤＮ Ｃｏｎｎｅｃｔｉｏｎ ｐｒｏｃｅｄｕｒｅ）、またはＰＤＰコンテキスト活性（ＰＤＰ Ｃｏｎｔｅｘｔ Ａｃｔｉｖａｔｉｏｎ）の手段によって生成される。各場合で、ｅＮＢ／Ｈ（ｅ）ＮＢに戻るメッセージがある。本発明の実施形態で、このようなメッセージは、ＳＩＰＴＯを活性化させ認証するための制御メッセージをさらに含むことを採択する。同様に、ｅＮＢ／Ｈ（ｅ）ＮＢにハンドオーバーしたらすぐ、ＳＩＰＴＯ連結が設立されるか否かを示す情報が伝送される。これは、後述する。
【００３４】
図４を参照では、ＳＩＰＴＯのためのＯＴＲ（ｏｐｐｏｒｔｕｎｉｓｔｉｃ ｔｒａｎｓｐａｒｅｎｔ ｒｏｕｔｉｎｇ）の活性化を支援するための追加の例示的なネットワークが示される。図示のように、ネットワークは、一般３ＧＰＰアキテクチャー要素を利用して第１及び第２端末４１５、４１７の間及び外部ＰＤＮ ４４０、４３８の間に多様なＩＰデータフロー４０５、４１０を提供する。例えば、第１端末４１５は、機会インターネットオフロード（ｏｐｐｏｒｔｕｎｉｓｔｉｃ ｉｎｔｅｒｎｅｔ ｏｆｆｌｏａｄ）の実行を可能にするＨ（ｅ）ＮＢまたはマクロｅＮＢの形態で、第１無線接続ノード４２０に無線で連結される。第１無線接続ノード４２０は、第１インターネットサービス提供者（ＩＳＰ−１）４２２の第１のルーター４５０に動作するように連結される。ネットワークは、最適化されない（ｎｏｎ−ｏｐｔｉｍｉｓｅｄ）ルーティング経路４７０とともに第１のＩＰデータフローを支援する。ここで、ＩＳＰ−１ ４５０は、ＧＧＳＮまたはＰＤＮ−ＧＷ ４３５の形式の３ＧＰＰネットワークエンティティーと連結され、これ４３５は、順に、オペレータ特定ＩＰネットワーク４４１を介してファイヤーウォール（ｆｉｒｅ ｗａｌｌ）またはプロキシエンティティー４４２と動作するように連結される。ファイヤーウォールまたはプロキシエンティティー４４２は、第１外部ＰＤＮ ４４０に第２のルーター４５５を介して動作するように連結される。
【００３５】
また、ネットワークは、ＳＩＰＴＯが活性化されると共に、最適化されたルーティング経路４８０を利用する第２のＩＰデータフローを支援する。それで、マクロ−セルｅＮＢ ４２０は、第１のＰＤＮ ４４０に対する個別ＰＤＮ連結のために、第１ＵＥに対するインターネットオフロードを行うことが認証されることを認知しなければならない。それで、もし、マクロｅＮＢ ４２０が第１のルーター４５０からインターネットオフロード“トンネル／連結”を誘発することができる十分な構成を有していたら、第１のＰＤＮ ４４０の共同ルーター、例えば、第２のルーター４５５が存在するか否かを判別し、第１のＵＥ ４１５に対してＳＩＰＴＯ支援が許容されるか、ＵＥ ４１５に連結される外部ＰＤＮサーバー４４０に対するＳＩＰＴＯ連結が考慮され、そして、活性化されるか否かを判別する。この場合、第１のルーター４５０と第２のルーター４５５との間の最適化されたルーティング経路４８を利用する直接ＳＩＰＴＯ連結は、機会が考慮され、そして、開始される。一実施形態において、これは、ｅＮＢ ４２０自体がＵＥ ４１５の他のＰＤＮ連結に対して認知することを要求せず、どのＥＰＳベアラー（ＥＰＳｂｅａｒｅｒｓ）がＳＩＰＴＯを使用するように認証されたか、そして、どのｅＮＢがＰＤＮに直接接続することができるか否かも要求されない。 
【００３６】
一実施形態において、共同第２のルーター４５５は、図１６及び図１７に示されたように、第１ＵＥのＩＰアドレスに対してオペレータネットワーク及びＳＧｉインターフェースを介したルーティング経路よりさらに良いルーティング経路を可能にする。第１のＵＥ ４１５と第１のＰＤＮ ４４０との間のユーザ平面トラフィック（アップリンク及びダウンプリンク）は、ＳＩＰＴＯのための機会（Ｏｐｐｏｒｔｕｎｉｔｙ）が発生した時、トラフィックオフロード（すなわち、バックホール（ｂａｃｋｈａｕｌ））のために使用されるｅＮＢ、Ｈ（ｅ）ＮＢ及びパケットデータネットワークとの間の、ＳＩＰＴＯ ＩＰターミネーションレファレンスポイントを横切ることができる。最適化されたルーティング経路が全体ネットワークに対して使用されるために始まるまで、一部のトラフィックがＳＧｉインターフェースの手段によって第１のＵＥ ４１５に続いて伝送されることができるという点は注目すべきものである。
【００３７】
一実施形態において、第２のルーター４５５は、図示のように、第１ＰＤＮ４５５内に位置する。ここで、モバイルオペレータは、ＰＤＮオペレータとルーティング情報を交換する。代案的に、追加の例で、第２のルーター４５５は、第１ｅＮＢ４２０とＰＤＮ ４４０との間の伝送ネットワーク内に位置する。ここで、モバイルオペレータは、伝送ネットワークオペレータとルーティング情報を交換する。
【００３８】
同様に、完全性のために、第２ＵＥ ４１７は、Ｈ（ｅ）ＮＢまたはｅＮＢの形式で、第２無線接続ノード４１９に無線で連結される。第２無線接続ノード４１９は、第２インターネットサービス提供者（ＩＳＰ−２）４２３の第３ルーター４５２に動作するように連結される。それで、ネットワークは、最適化されないルーティング経路４７５とともに第３のＩＰデータフローを支援する。ここで、ＩＳＰ−２ ４２３は、ＧＧＳＮまたはＰＤＮ−ＧＷ ４３５の形式で、３ＧＰＰネットワークエンティティーに連結される。これ４３５は、順に、オペレータ特定ＩＰネットワーク４４１を介してファイヤーウォールまたはプロキシエンティティー４４２に連結される。ファイヤーウォールまたはプロキシエンティティー４２２は、また、第４ルーター４５７を介して第２外部ＰＤＮ４３８に動作するように連結される。
【００３９】
類似の方式で、ネットワークは、また、ＳＩＰＴＯが活性化されると共に、最適化されたルーティング経路４８５を利用する第４ＩＰデータフローを支援する。したがってネットワーク４１０は、ＳＩＰＴＯ支援が（ａ）第２ＵＥ ４１７に対して許容されるか、（ｂ）利得があるか、そして、（ｃ）ＵＥ ４１７に連結された外部ＰＤＮサーバー３４８に可能であるかを判別する。この場合に、第３ルーター４５２と第４ルーター４５７との間の最適化されたルーティング経路４８５を利用する直接ＳＩＰＴＯ連結は、機会を考慮し、そして、開始される。 
【００４０】
有利にも、第１及び第２ＵＥ ４１５、４１７の両方は、直接ＳＩＰＴＯ連結に対するブレーキアウトが発生したかを知る必要がない。さらに、第１のＵＥ ４１５及び第２ＵＥ ４１７は、各無線接続ノード（ｅＮＢまたはＨ（ｅ）ＮＢ）４２０、４１９によって開始される直接ＳＩＰＴＯ連結に対する使用可否の判別のように、そのようなＳＩＰＴＯ連結を支援するために適応されるも必要ない。
ＯＴＲ ＳＩＰＴＯ連結が活性化されれば、ＳＩＰＴＯ連結は、一部の段階では注意して不活性化されることが必要である。図５を参照すれば、ＯＴＲ ＳＩＰＴＯ不活性化５００によるネットワークの実施形態が示される。図示のように、第２のルーターは、ＳＩＰＴＯの不活性化によってＰ−ＧＷにトラフィックをルーティングする。
【００４１】
前記したように、ＳＩＰＴＯ連結（最適化された）ルーティング連結の不活性化を誘発することができるいくつかの条件がある。例えば、ＵＥは、既にＳＩＰＴＯを利用するように認証されず、または、“オーバーロード”条件は、ＳＩＰＴＯに対して適用されない。代案的に、ＳＩＰＴＯ連結は、ＵＥがブレーキアウトを提供するそのサービングｅＮＢまたはＨ（ｅ）ＮＢのカバレージの外に移動した時、または、ＳＩＰＴＯトンネル／連結／ルーティングがルーター、例えば、図４のルーター４５０によって中断された時、不活性化が要求されることができる。上述したもののうちいずれの状況でも、ＳＩＰＴＯルートの不活性化によって、第２のルーターは、ＵＥに対して意図されたすべてのダウンプリンク（ＤＬ）トラフィックをＰＤＮ ＧＷ（例えば、ＳＧｉを介して）にフォワーディングし、ＰＤＮで好適なＯＴＲ ＳＩＰＴＯルーティング経路の使用を中止する。ＵＥに対するＰＤＮからすべてのダウンプリンクトラフィックは、ＳＧｉの方式（または経路）によって伝送されられる。
【００４２】
一実施形態において、ポリシーのセットは、ＯＴＲ ＳＩＰＴＯが活性化されるか否かを判別するのに適用されることができる。例えば、１つ以上の次の判別が作われることができる。
【００４３】
（ｉ）ネットワークオペレータが所定の無線通信ユニット（ＵＥ）がＳＩＰＴＯ（所定の各ＰＤＮに対して）に対する接続を許容するか？この実施形態で、新しいフィールドが無線通信ユニット（ＵＥ）がＳＩＰＴＯ（所定の各ＰＤＮに対して）に対して接続されたか否かを示すＨＳＳ（Ｈｏｍｅ Ｓｕｂｓｃｒｉｂｅｒ Ｓｅｒｖｅｒ）加入者プロファイル内に含まれることができる。
【００４４】
（ｉｉ）ネットワークオペレータが所定のＨ（ｅ）ＮＢまたはｅＮＢが使用するＳＩＰＴＯ（所定の各ＰＤＮに対して）に対してブレーキアウトをするように許容するか？ここで、ＭＭＥは、Ｈ（ｅ）ＮＢまたはｅＮＢオペレータを制御し、これを判断し、ＳＩＰＴＯが許容されるか否かをｅＮＢまたはＨ（ｅ）ＮＢに通知するように構成される。例えば、以下で説明される、図６に示された接続手続（Ａｔｔａｃｈ ｐｒｏｃｅｄｕｒｅ）からＩＥ（ｉｎｆｏｒｍａｔｉｏｎ ｅｌｅｍｅｎｔ）内に伝送される。
【００４５】
（ｉｉｉ）Ｈ（ｅ）ＮＢの所有者は、これをブレーキアウト（所定の各ＡＰＮに対して）することを許すか？ここで、これは、Ｈ（ｅ）ＮＢ内に構成される。
【００４６】
図６を参照すれば、ｅＮＢまたはＨ（ｅ）ＮＢに実際認証情報を伝達するために、ＴＳ ２３．４０１、５．３．２．１の接続手続に修正の実施形態６００が示された。図示のように、修正されたＭＭＥは、接続受諾（Ａｔｔａｃｈ Ａｃｃｅｐｔ）メッセージ６０５をｅＮｏｄｅＢに伝送する。接続受諾（Ａｔｔａｃｈ Ａｃｃｅｐｔ）メッセージ６０５は、ＡＰＮ、ＧＵＴＩ、ＰＤＮＴｙｐｅ、ＰＤＮアドレス、ＴＡＩリスト、ＥＰＳベアラー識別、セッション管理要請、プロトコル構成オプション、ＫＳＩＡＳＭＥ、ＮＡＳシーケンス番号、ＮＡＳ−ＭＡＣ、ＩＭＳボイスオーバーＰＳセッション支援指示子、非常サービス支援指示子、及び特に、ＳＩＰＴＯ許容指示子（ＳＩＰＴＯ Ａｌｌｏｗｅｄ ｉｎｄｉｃａｔｏｒ）を含む。この方式で、ＭＭＥは、ＵＥ加入ポリシーが連結されたＡＰＮに対して真（ＴＲＵＥ）に設定されたＳＩＰＴＯ−許容パラメータを含み、オペレータポリシーがｅＮＢが活性化されたＳＩＰＴＯを行うようにする時、ＳＩＰＴＯ許容指示子（ＳＩＰＴＯ Ａｌｌｏｗｅｄ ｉｎｄｉｃａｔｏｒ）を真（ＴＲＵＥ）に設定する。そうでなければ、ＳＩＰＴＯ許容指示子が偽（ＦＡＬＳＥ）に設定される。接続受諾（Ａｔｔａｃｈ Ａｃｃｅｐｔ）メッセージ６０６内で、真に設定されたＳＩＰＴＯ許容指示子を受信したｅＮＢは、以後のセクションで説明されるような、ユーザ平面のＳＩＰＴＯハンドリングを行うことができる。類似の修正がベアラー設定要請／連結受諾（Ｂｅａｒｅｒ Ｓｅｔ−ｕｐＲｅｑｕｅｓｔ／Ｃｏｎｎｅｃｔｉｖｉｔｙ Ａｃｃｅｐｔ）メッセージ内で、ＰＤＮ連結を要請されたＵＥに関連したセクション５．１０．２に適用されることができる。
【００４７】
図７を参照すれば、ＳＩＰＴＯ ＡＰＮを利用するＵＥの位置に基づくＩＰアドレスを割り当てるメカニズムの例示的なフローチャート７００が示された。Ｐ−ＧＷ／ＧＧＳＮが（もし、機会が発生すれば、）ＳＩＰＴＯを可能にするルーティング経路内にＩＰアドレスを割り当てるために、ＳＩＰＴＯ許容指示子は、また、言わば、接続／ＰＤＮ連結手続（Ａｔｔａｃｈ／ＰＤＮ  Ｃｏｎｎｅｃｔｉｖｉｔｙ ｐｒｏｃｅｄｕｒｅ）で、Ｐ−ＧＷに到逹しなければならない。これは、もし、ＳＩＰＴＯに対する機会が発生すれば、ＰＤＮまたは伝送ＩＰネットワークが続いて最適化されたルーティング経路を確立するように許容する特別範囲から、オペレータが（例えば、ＴＳ ２９．０６１：“ＰＬＭＮ支援パケット基盤サービスとＰＤＮとの間のインターワーキング（Ｉｎｔｅｒｗｏｒｋｉｎｇ ｂｅｔｗｅｅｎ ＰＬＭＮ ｓｕｐｐｏｒｔｉｎｇ ｐａｃｋｅｔ ｂａｓｅｄ ｓｅｒｖｉｃｅｓ ａｎｄ ＰＤＮｓ）”に説明されたメカニズムによって）ＩＰアドレスを割り当てることができるようにしなければならない。
【００４８】
図７に示された例は、７０５段階に示されたように、これが連結され、Ｐ−ＧＷ／ＧＧＳＮに位置を示す時、ＵＥ位置の判別を利用する。したがって、例えば、ＭＭＥは、どのターゲットネットワークがＴＳ ２９．０６１手続を採択するか否かを判別するためにネットワーク情報をＰ−ＧＷ／ＧＧＳＮに伝送する。このような考慮で、ＭＭＥは、ＡＰＮに対するｘ、ｅＮＢからのｙ、ＰＮＤはｚであることを認知するように構成される。このような方式で、Ｐ−ＧＷ／ＧＧＳＮは、７１０段階に示されたように、Ｈ（ｅ）ＮＢまたはｅＮＢのバックホール動作をサービスするＩＳＰ ＰＤＮ ｚの要請されたＩＰアドレスを誘導することができる。そして、Ｐ−ＧＷ／ＧＧＳＮは、７１５段階のように、機会が発生した時、ＳＩＰＴＯが使用されるように許容する特定範囲からＵＥにＩＰアドレスを割り当てることができる。割り当てられたＩＰアドレスは、ＯＴＲ ＳＩＰＴＯ動作を支援するためにＩＳＰに（／から）ルーティングすることができるＰＤＮ連結と関連する。
【００４９】
一実施形態において、ＰＧＷまたはＧＧＳＮは、Ｈ（ｅ）ＮＢまたはｅＮＢ内に位置し、前述のフローチャートは、ＳＩＰＴＯブレーキアウトアドレスはブレーキアウトネットワークに対する理想的な候補であることを保証する（特に、インターネットブレーキアウトシナリオ、ここで、対応するノードは、公共接続可能なインターネットで或るネットワーク上にもあり得る。）。ＮＡＴ−基盤アプローチのために、１つの単一のアドレスがいくつかのＵＥを隠すために使用されることができる。しかし、ＮＡＴは、相変らず単一のアドレスを得なければならないし、このような理由で、２９．０６１手続は、依然として前述の所定の理由に対して適用されなければならない。したがって、図７に示された実施形態は、存在するＳＩＰＴＯソリューションに対して既存の機種と下位互換性がある（ｂａｃｋｗａｒｄ ｃｏｍｐａｔｉｂｌｅ）。
【００５０】
図８及び図９を参照すれば、ＴＳ ２３．４０１、５．５．１．１．２ Ｘ２基盤のサービングゲートウェイ（Ｓ−ＧＷ）再配置８００を有するハンドオーバー、そして、Ｓ−ＧＷ再配置８５０無しのハンドオーバーに対する修正の実施形態が示される。ＴＳ ２３．４０１、５．５．１．１．２ Ｘ２基盤のサービングゲートウェイ（Ｓ−ＧＷ）再配置８００を有するハンドオーバー修正例で、ＭＭＥは、経路スイッチ要請受付（Ｐａｔｈ Ｓｗｉｔｃｈ Ｒｅｑｕｅｓｔ Ａｃｋ）メッセージ８０５で経路スイッチ要請（Ｐａｔｈ Ｓｗｉｔｃｈ Ｒｅｑｕｅｓｔ）メッセージを確認しなければならない（このメッセージは、ユーザ平面に対するサービングゲートウェイアドレス及びアップリンクＴＥＩＤ、そして、特に、ＳＩＰＴＯ許容指示子を含む）。一実施形態において、ＵＥ−ＡＭＢＲが変更されれば、例えば、ターゲットｅＮＢで同一のＡＰＮに関連したすべてのＥＰＳベアラーが拒絶されることを示すと、ＭＭＥは、経路スイッチ要請受付メッセージ８０５でターゲットｅＮＢに対してＵＥ−ＡＭＢＲの更新された値を提供する。そして、ターゲットｅＮＢは、連続されたアップリンクパケットをフォワーディングするために、新しいサービングゲートウェイアドレス及び端末装置識別子（ＴＥＩＤ、ｔｅｒｍｉｎａｌ ｅｑｕｉｐｍｅｎｔ Ｉｄｅｎｔｉｆｉｅｒｓ）を利用することを開始する。この実施形態で、前述したように、ＵＥ加入ポリシーが連結されたＡＰＮに対して真（ＴＲＵＥ）に設定されたＳＩＰＴＯ許容パラメータを含み、オペレータポリシーがｅＮＢがＳＩＰＴＯ活性化を行うように許容する時、ＭＭＥは、ＳＩＰＴＯ許容指示子を真（ＴＲＵＥ）に設定することができる。そうでなければ、ＳＩＰＴＯ許容指示子は、偽（ＦＡＬＳＥ）に設定される。もし一部のＥＰＳベアラーがコアネットワークで成功的にスイッチされなかったら、ＭＭＥは、経路スイッチ要請受付メッセージ８０５でこれらＥＰＳベアラーが確立に失敗し、失敗されたＥＰＳベアラーのコアネットワーク資源を解除するためのベアラー解除手続を開始することを示す。そして、ターゲットｅＮＢは、ＥＰＳベアラーがコアネットワークに確立されなかったことを認知した時、対応するベアラーコンテキストを削除する。
【００５１】
Ｓ−ＧＷ再配置８５０無しのＴＳ ２３．４０１、５．５．１．１．２ Ｘ２基盤ハンドオーバーの修正の実施形態で、ＭＭＥ、ターゲットＭＭＥは、ハンドオーバー要請（Ｈａｎｄｏｖｅｒ Ｒｅｑｕｅｓｔ）メッセージをターゲットｅＮＢに伝送する。このメッセージは、設定のためのＥＰＳベアラー、ＡＭＢＲ、Ｓ１ＡＰコーズ（Ｓ１ＡＰ Ｃａｕｓｅ）、ソースターゲットトランスペアレントコンテーナ（Ｓｏｕｒｃｅ ｔｏ Ｔａｒｇｅｔ ｔｒａｎｓｐａｒｅｎｔ ｃｏｎｔａｉｎｅｒ）、ハンドオーバー制限リスト（Ｈａｎｄｏｖｅｒ Ｒｅｓｔｒｉｃｔｉｏｎ Ｌｉｓｔ）及び特に、ＳＩＰＴＯ許容指示子を含む。ハンドオーバー要請メッセージ８５５は、ターゲットｅＮＢにセキュリティコンテキスト、及びベアラーに関連した情報を含む、ＵＥコンテキストを生成する。各ＥＰＳベアラーに対して、セットアップのためのベアラーは、ユーザ平面に対するサービングゲートウェイアドレス及びアップリンクＴＥＩＤ、及びＥＰＳベアラーサービス品質（ＱｏＳ、Ｑｕａｌｉｔｙ ｏｆ Ｓｅｒｖｉｃｅ）を含む。ターゲットＭＭＥで可能であれば、ハンドオーバー制限リスト（Ｈａｎｄｏｖｅｒ Ｒｅｓｔｒｉｃｔｉｏｎ Ｌｉｓｔ）も伝送されることができる。ＵＥ加入ポリシーが連結されたＡＰＮに対して真（ＴＲＵＥ）に設定されたＳＩＰＴＯ許容パラメータを含み、オペレータポリシーがｅＮＢがＳＩＰＴＯ活性化を行うように許容する時、ＭＭＥは、ＳＩＰＴＯ許容指示子を真（ＴＲＵＥ）に設定することができる。そうでなければ、ＳＩＰＴＯ許容指示子は、偽（ＦＡＬＳＥ）に設定される。
【００５２】
真に設定されたＳＩＰＴＯ許容指示子を受信したｅＮＢは、ユーザ平面のＳＩＰＴＯハンドリングを行う。ここで、ＳＩＡＰコーズ（Ｓ１ＡＰ Ｃａｕｓｅ）は、ソースＭＭＥから受信されたＲＡＮコーズ（ＲＡＮ Ｃａｕｓｅ）を示す。そして、ターゲットｅＮＢは、ハンドオーバー要請受付（Ｈａｎｄｏｖｅｒ Ｒｅｑｕｅｓｔ Ａｃｋｎｏｗｌｅｄｇｅ）メッセージ（このメッセージはＥＰＳベアラー設定結果（ＥＰＳ Ｂｅａｒｅｒ Ｓｅｔｕｐ Ｒｅｓｕｌｔ）、ターゲットソーストランスペアレントコンテナ（Ｔａｒｇｅｔ ｔｏ Ｓｏｕｒｃｅ ｔｒａｎｓｐａｒｅｎｔ ｃｏｎｔａｉｎｅｒ）を含む）をターゲットＭＭＥに伝送する。ＥＰＳベアラー設定結果は、拒絶されたＥＰＳベアラーのリスト、そしてアドレスのリスト及びＳ１−Ｕレファレンスポイント上のダウンプリンクトラフィックのためのターゲットｅＮＢに割り当てられたＴＥＩＤ（各ベアラー当たり１つのＴＥＩＤ）及びアドレス、そして必要に応じて、フォワーディングされたデータを受信するためのＴＥＩＤを含む。もし、ＵＥ−ＡＭＢＲが変更されたら、例えば、同一のＡＰＮに関連したすべてのＥＰＳベアラーがターゲットｅＮＢで拒絶されることを示すと、ＭＭＥは、新しいＵＥ−ＡＭＢＲを再算出し、修正されたＵＥ−ＡＭＢＲ値をターゲットｅＮＢにシグナリングする。
【００５３】
前述の図８〜図１３のＴＳ ２３．４０１、５．５．１．１．２ Ｘ２基盤のサービングゲートウェイ（Ｓ−ＧＷ）再配置８００を有するハンドオーバー、そして、Ｓ−ＧＷ再配置８５０無しのハンドオーバー手続の前述の実施形態と類似の方式で、Ｅ−ＵＴＲＡＮ ｉｎｔｅｒ−ＲＡＴ（ｉｎｔｅｒ−ｒａｄｉｏ ａｃｃｅｓｓ ｔｅｃｈｎｏｌｏｇｙ、ＲＡＴ間の）ハンドオーバー手続の例示的な修正を示す。例えば、Ｅ−ＵＴＲＡＮ Ｉｎｔｅｒ−ＲＡＴハンドオーバーのためのＵＴＲＡＮ Ｉｕモード９００でセクション５．５．２．２．２によるハンドオーバー要請で、修正されたハンドオーバー要請９０５が使用される。同様に、例えば、Ｅ−ＵＴＲＡＮ Ｉｎｔｅｒ−ＲＡＴハンドオーバーのためのＧＥＲＡＮ Ａ／Ｇｂモード９１０でセクション５．５．２．４．２によるハンドオーバー要請で、修正されたハンドオーバー要請９１５が使用される。同様に、例えば、３Ｇ ＳＧＳＮ ＭＭＥ合成ハードハンドオーバー及びＳＲＮＳ再配置手続９２０のＤ３．４によるハンドオーバー要請で、修正されたハンドオーバー要請９２５が使用される。同様に、例えば、Ｅ−ＵＴＲＡＮ Ｉｎｔｅｒ−ＲＡＴハンドオーバーのためのＧＥＲＡＮＡ／Ｇｂモード９３０のＤ３．８．２によるハンドオーバー要請で、修正されたハンドオーバー要請９３５が使用される。
【００５４】
図１４を参照すれば、ＯＴＲ（ｏｐｐｏｒｔｕｎｉｓｔｉｃ ｔｒａｎｓｐａｒｅｎｔ ｒｏｕｔｉｎｇ）活性化手続１０００の実施形態が示される。この信号フローは、ＵＥ １０１５、第１のルーター１０２０またはｅＮＢ形式のネットワーク要素、第２（遠隔）ルーター１０５５、ＭＭＥ １０２５、サービングゲートウェイ（Ｓ−ＧＷ）１０３０及びＰＤＮ ＧＷ １０４０間のシグナリングを含む。ｅＮＢまたは第１のルーター１１２０は、信号フロー１０７０、１０７２、１０７４、１０７６に示されたように、第２のルーター１０５５を介してＵＥ １０１５とＰＤＮ ＧＷ １０４０との間のユーザ平面通信を確立する。１０７８段階で、ＳＩＰＴＯ ＩＰ終了レファレンスポイントトンネル（ＳＩＰＴＯ ＩＰ ｔｅｒｍｉｎａｔｉｏｎ ｒｅｆｅｒｅｎｃｅ ｐｏｉｎｔ ｔｕｎｎｅｌ）、連結または要求されるルーティング状態は、ＳＩＰＴＯ機会の活性化によって、第１のルーター１０２０と第２（遠隔）ルーター１０５５との間に確立される。１０８０段階で、ＳＩＰＴＯ ＩＰ終了レファレンスポイントトンネルが確立されれば、ｅＮＢまたは第１のルーター１０２０は、スイッチ経路を決定しなければならないし、よって、ＳＩＰＴＯルーティングが始まる。さらに、ＭＭＥ １１２５は、信号フロー１０８２で、Ｓ１インターフェースを介したＳＩＰＴＯ活性化に起因して切迫した経路スイッチのｅＮＢまたは第１のルーター１０２０によって、情報を得ることができる。ＭＭＥ １０２５は、信号フロー１０８４に示されたように、ｅＮＢまたは第１のルーター１０２０にこの情報を受付（確認）したことを通知することができる。代案的に、一実施形態において、ＭＭＥ１０２５は、経路スイッチを拒否することができ、このポイントでＳＩＰＴＯを行うために、ｅＮＢ １０２０からの認証をオフロードする。前者の場合、信号フロー１０８６、１０８８、１０９０に示されたように、ユーザ平面がＳＩＰＴＯを使用するようにｅＮＢ １０２０からＰＤＮ ＧＷ １０４０で直接、第２のルーター１０５５を介して、経路はスイッチされる。
【００５５】
ＯＴＲ ＳＩＰＴＯの活性化は、“機会的（ｏｐｐｏｒｔｕｎｉｓｔｉｃ）”という用語が使用され、なぜなら、これは、例えば、トラフィックをオフロードするために最適化として発生するからである。例えば、一部の負荷条件は、オフロードが要求されることを示すことができる。そのような場合に、ネットワークオペレータは、公知のオペレータ及び管理（Ｏ＆Ｍ）メカニズムを利用する任意のｅＮＢによってサービスされる多数のセルに対してＳＩＰＴＯを“ターンオン”することができる。他の実施形態は、エンタープライズ環境でＳＩＰＴＯの使用である。ここで、ＳＩＰＴＯは、エンタープライズに属する特定ＵＥだけに対して可能であることができる（例えば、加入基盤上の）。一方、エンタープライズに対する他の訪問者は、ＯＴＲ ＳＩＰＴＯ支援が可能な利得を有するそれらＵＥ無しに同一のＨ（ｅ）ＮＢを使用することができる。
【００５６】
有利に、ＯＴＲ ＳＩＰＴＯの活性化は、ＵＥがこれが発生したかを認知する必要がないことのように、ＵＥに対してトランスペアレントである。したがって、ＵＥは、このサービスを得るために、これを活性化させるための特別なＰＤＮ連結など、または、この機能のための特別な支援が要求されない。説明されたＯＴＲ ＳＩＰＴＯメカニズムは、ｅＮＢまたはＨ（ｅ）ＮＢ内に位置するルーティングモジュールを使用する。
【００５７】
一実施形態の具現によって、３ＧＰＰ標準のＴＳ ２３．４０１に対する新しい条項（節）が次に表現される。
【００５８】
４．Ｘ．機会的トランスペアレントルーティング選択ＩＰトラフィックオフロード（４．Ｘ．Ｏｐｐｏｒｔｕｎｉｓｔｉｃ ｔｒａｎｓｐａｒｅｎｔ ｒｏｕｔｉｎｇ ｓｅｌｅｃｔｉｖｅ ＩＰ Ｔｒａｆｆｉｃ ｏｆｆｌｏａｄ）
【００５９】
４．Ｘ．１ 一般（４．Ｘ．１ Ｇｅｎｅｒａｌ）
【００６０】
４．Ｘ．２ 機会的トランスペアレントルーティング活性化（４．Ｘ．２ Ｏｐｐｏｒｔｕｎｉｓｔｉｃ ｔｒａｎｓｐａｒｅｎｔ ｒｏｕｔｉｎｇ Ａｃｔｉｖａｔｉｏｎ）
【００６１】
ｅＮＢは、コアネットワークユーザ平面の採択なく、ターゲットＰＤＮに直接ユーザ平面トラフィックの機会的トランスペアレントルーティング（Ｏｐｐｏｒｔｕｎｉｓｔｉｃ ｔｒａｎｓｐａｒｅｎｔ ｒｏｕｔｉｎｇ）を提供することができる。これは、図４．Ｘ．２−１に示す。
【００６２】
ＵＥは、ＰＤＮ連結のユーザ平面ハンドリングを認知することができないようにする。活性化は、次の条件が満足する時に行われる。
−ｅＮＢが真に設定されたＳＩＰＴＯ許容指示子をＭＭＥから受信する。
−ｅＮＢは、ＳＩＰＴＯを活性化させるためのオペレータが定義した条件を実行する（例えば、Ｓ１−Ｕ上の負荷のしきい値（ｔｈｒｅｓｈｏｌｄ））
−ＵＥは、ＥＣＭ−ＣＯＮＮＥＣＴＥＤ状態にある。
【００６３】
図１５は、ＯＴＲ（ｏｐｐｏｒｔｕｎｉｓｔｉｃ ｔｒａｎｓｐａｒｅｎｔ ｒｏｕｔｉｎｇ）不活性化手続１１００の信号フローの実施形態を示す。信号フローの実施形態で、ＯＴＲ ＳＩＰＴＯの不活性化は、次の条件中の１つ以上が起こると発生する。
【００６４】
（ｉ）Ｔｈｅ ＵＥ ｍｏｖｅｓ ｏｕｔ ｏｆ ｃｏｖｅｒａｇｅ ｏｆ ｔｈｅ ｅＮＢ／Ｈ（ｅ）ＮＢ ｔｈａｔ ｉｓ ｓｕｐｐｏｒｔｉｎｇ ＯＴＲ ＳＩＰＴＯ；
（ｉｉ）ＵＥがＯＴＲ ＳＩＰＴＯを支援するｅＮＢ／Ｈ（ｅ）ＮＢのカバレージの外に移動する；
（ｉｉｉ）ＰＤＮ不活性化／分離イベントに従う；
（ｉｖ）ＯＴＲ ＳＩＰＴＯへの移行を後押しするようにする“機会（ｏｐｐｏｒｔｕｎｉｔｙ）”は、（例えば、超過トラフィック負荷のように）これ以上支援しないものとして判別される；
（ｖ）ｎｏｎ−３ＧＰＰ接続／３ＧＰＰ接続に従うハンドオーバーまたは新しいターゲットｅＮＢ／Ｈ（ｅ）ＮＢへのハンドオーバー；
（ｖｉ）ＵＥがＩＤＬＥモードに転換される；または
ＵＥがＩＤＬＥモードに転換された時、ＯＴＲ ＳＩＰＴＯ連結が不活性化される代わりに、ｅＮＢは、ＵＥのペイジングを開始するための動作を取ることができる。このシナリオで、ｅＮＢは、ＰＤＮ ＧＷに、すなわち、Ｓ１−Ｕインターフェースの手段によって、アップリンクゼロデータ長さループバックＩＰパケット（ｕｐｌｉｎｋ ｚｅｒｏ ｄａｔａ ｌｅｎｇｔｈ ｌｏｏｐｂａｃｋ ＩＰ ｐａｃｋｅｔ）を端末に伝送することができる。パケットがＳ−ＧＷに到着した時、一般的に、ペイジングがトリガーされる。
【００６５】
信号フローは、ＵＥ １１１５、ｅＮＢ形式のネットワーク要素または第１のルーター１１２０、第２（遠隔）ルーター１１５５、ＭＭＥ １１２５、Ｓ−ＧＷ １１３０及びＰＤＮ ＧＷ １１４０間のシグナリングを含む。ｅＮＢまたは第１のルーター１１２０は、信号フロー１１７０に示されたように、第２のルーター１１５５を介してＵＥ １１１５とＰＤＮ ＧＷ １１４０との間のユーザ平面通信を確立する。１１８０段階で、ｅＮＢまたは第１のルーター１１２０は、これがスイッチ経路にならなければならないことを決定し、よって、ＳＩＰＴＯルーティングを中断する。一実施形態において、このスイッチは、すなわち、機会条件がない場合（例えば、ＳＩ上の負荷がしきい値以下に減少すれば）、または、ＰＤＮ連結が不活性化されることによって、または、ＵＥが他の接続ノードにハンドオーバーされることなどによってトリガーされることができる。その後、ｅＮＢまたは第１のルーター１１２０は、信号フロー１１８１に示されたように、第２のルーター１１５５と自分との間の通信を可能にするＳＩＰＴＯ ＩＰターミネーションレファレンスポイントのトンネル／連結／ルーティング状態を終了する。その後、第２のルーター１１５５は、ＰＤＮ ＧＷ １１４０からＵＥ １１１５へのダウンプリンクトラフィックがもし可能であれば、新しい経路に沿ってＰＤＮ ＧＷ １１４０にフォワーディングされることを保証するために、ＰＤＮ ＧＷ １１４０に不活性化をシグナリングする。さらに、ＭＭＥ １１２５は、信号フロー１１８５で、ＰＤＮ ＧＷ １１４０に対するＳＩインターフェースを介してＳＩＰＴＯルーティングから一般ルーティングへの切迫した経路スイッチのｅＮＢまたは第１のルーター１１２０によって情報を提供される。ＭＭＥ １１２５は、信号フロー１１８７に示されたように、ｅＮＢまたは第１のルーター１１２０にこの情報を受信確認（受付）することができる。そして、経路は、信号フロー１１８６、１１８８、１１９０、１１９２に示されたように、第２のルーター１１５５を介して直接ＰＤＮ ＧＷ １１４０に行く代わりに、ＰＤＮ ＧＷ １１５０を経由してユーザ平面にルーティングするために、ＳＩＰＴＯからスイッチされる。
【００６６】
代案的な実施形態で、信号フロー１１８５及び信号フロー１１８７は、ＭＭＥがＳＩＰＴＯルートからの移行を減少させることがまれなことのように、一般ルート（非−ＳＩＰＴＯルート）の確立後に発生することができる。
【００６７】
この方式で、例示的な信号フローは、ＯＴＲ不活性化手続を提供するメカニズムを説明する。
【００６８】
図１６を参照すれば、ネットワークオペレータコア伝送ネットワークトポロジー１２００の実施形態が示される。例えば、このトポロジーは、オペレータＩＰバックボーンにＳＩＰＴＯのための機会ルーティング経路最適化を可能にするように構成されるものである。したがって、図１６に示された実施形態は、図３のＰＤＮサーバー３４５と第２のルーター２５５との間の通信を支援するための１つの例示的なアキテクチャーを提供する。ネットワークオペレータコアで、一般的にＩＰ伝送ネットワーク階層（ＴＮＬ、Ｔｒａｎｓｐｏｒｔ Ｎｅｔｗｏｒｋ Ｌａｙｅｒ）と呼ばれる、ネットワークトポロジーは、ＰＯＰ（ｐｒｏｖｉｄｅｒｓ ｐｏｉｎｔｓ ｏｆ ｐｒｅｓｅｎｃｅ）でバックボーンノード間の相当な経路分配（ｐａｔｈ ｄｉｖｅｒｓｉｔｙ）を提供するように設計される。ＰＯＰ内で、バックボーンノードは、（例えば、ＩＳＰ−１ １２０２、ＩＳＰ−２ １２１２及びＩＳＰ−３ １２２２のような、他のインターネットサービス提供者（ＩＳＰ）と）公衆（ｐｕｂｌｉｃ）及び／または個別接続（ｐｒｉｖａｔｅ ｐｅｅｒｉｎｇ）、（高いボリュームトラフィックのための）提供者データセンター、及び大型（複雑な）企業顧客に連結される。例えば、ＩＳＰ １２０２、１２１２、１２２２及びオペレータコアＴＮＬ １２５０のような、接続ポイントでこのようなネットワークの間にルーティングの決定は、外部ＢＧＰ（Ｅ−ＢＧＰ）ルート加入ポリシー１２０６、１２１６、１２２６によって一般的に、制御される。ＩＳＰ間のＢＧＰ接続は、外部（ｅｘｔｅｒｎａｌ）と呼ばれ、提供者ネットワーク内のＢＧＰ接続は、内部（ｉｎｔｅｒｎａｌ）と呼ばれる。提供者コア１２５０内で、内部ＢＧＰ １２５２、１２５４は、接続、例えば、ルーター１２０８、１２１８、１２２８、１２３８の間でルーティング情報交換に対して厳格な要求事項を有する。内部ＢＧＰルーターは、完全なメッシュ（ｍｅｓｈ）で、相互間に一般的な接続のために構成される。オペレータコアＴＮＬ １２５０内で、最も短い経路は、ネットワークトポロジーによってＯＳＰＦまたはＩＳ−ＩＳで決定される。
【００６９】
図１６に示されたように、ルーティング経路最適化を可能にする方法に関して、例えば、ＳＩＰＴＯに対する機会が発生した時、ＩＰバックボーン内に位置するルーティング経路スイッチ１２６０をトリゴリングすることによるもののように、多様な可能性が存在する。実際オペレータネットワークで、個別ルーティング経路の選択は、例えば、ネットワークトポロジ、ＳＩＰＴＯ ＩＰブレーキアウトネットワーク間の連結（ｉｎｔｅｒｃｏｎｎｅｃｔｉｏｎ）及びオペレータバックボーンネットワークアキテクチャーのような、ファクターの数に依存することができる。
【００７０】
外部パーティーと第２のルーターとの間、すなわち図４の第２のルーター４５５または第２のルーター４５７との間のルーティング経路最適化修正は、第１のルーターとＰＤＮとの間の伝送ネットワークで、またはＰＤＮ内で行われることができる。もし、第２のルーターがＰＤＮ内に位置すれば、ルーティング更新情報を交換するために、モバイルオペレータとＰＤＮオペレータとの間の共同合意（ｃｏｌｌａｂｏｒａｔｉｖｅ ａｇｒｅｅｍｅｎｔ）されなければならない。
【００７１】
ルーティングオペレーションの第１実施形態で、共同第２のルーターは、ＰＤＮで構成されるＡＳ（Ａｕｔｏｎｏｍｏｕｓ Ｓｙｓｔｅｍ）内でＳＩＰＴＯのための機会が発生した時、さらに良いルーティングメトリックを広告するように構成される。一実施形態において、広告は、例えば、ｅＮＢ／Ｈ（ｅ）ＮＢがインターネットバックボーンに連結を提供する外部ＰＤＮ及びＩＳＰと連結されたＩＰネットワークとして同一のＡＳ上にあるシナリオで、ＯＳＰＦまたはＩＳ−ＩＳプロトコルを利用して行われることができる。したがって、比較的単純な配置のために、ｅＮＢ／ＨｅＮＢは、直接単一オペレータによって制御及び管理されるネットワークに直接連結され、ＯＳＰＦまたはＩＳ−ＩＳプロトコルの使用が使用されることができる。
【００７２】
しかし、大型スケール配置で、コストファクターとともに、別個に、最も短い経路ルート選択手続を利用することは、経路ローディングで、重要な不均衡をもたらすことができることのように、ＯＳＰＦ及びＩＳ−ＩＳと関連したコストメトリックは、使用されるトラフィックエンジニアリングに対して非常に単純化された態様を有することができる。これは、特に、ｅＮＢ／ＨｅＮＢが連結されたそれら自分のネットワーク及び／またはインターネットバックボーンに対してサービスを提供するＩＳＰの形式で、多様な内部連結（ｉｎｔｅｒｃｏｎｎｅｃｔｉｏｎ）がオペレータＩＰバックボーンと外部接続パートナーとの間で可能な場合である。そのような大型スケール配置で、最適化されたルーティングが図１７に示されたような、ＭＰＬＳ ＴＥメカニズムを利用して行われることができる。
【００７３】
図１７を参照すれば、ＭＰＬＳ ＴＥメカニズムを利用する最適化されたルーティングアキテクチャー１３００が示される。ＭＰＬＳ基盤トラフィックエンジニアリング（ＴＥ、ｔｒａｆｆｉｃ ｅｎｇｉｎｅｅｒｉｎｇ）は、ＭＰＬＳ上のトラフィックエンジニアリングに対する要求事項である、ＲＦＣ２７０２に記述されたように、追加のルート／回路解除及びルート／回路を確立するのに関連したシグナリングオーバーヘッド無しに、ＡＴＭから一般的に得られる仮想−回路を模倣（ｅｍｕｌａｔｅ）するために、大型スケールバックボーンネットワークでのメカニズムに使用される。したがって、ＭＰＬＳトラフィックエンジニアリングは、たびたび、トラフィックトランク（ｔｒａｆｆｉｃ ｔｒｕｎｋ）と呼ばれるＭＰＬＳトラフィックを伝達する回路を利用し、基礎リンクトポロジーとは独立的にルーティングされることができる。
【００７４】
ＭＰＬＳを有するトラフィックエンジニアリングは、次のコンポーネントを有する。
（ｉ）ＯＳＰＦ及びＩＳ−ＩＳに対するトラフィックエンジニアリング拡張で構成されたＩＧＰコンポネント；及び
（ｉｉ）ＲＳＶＰまたはＣＲ−ＬＤＰに対するトラフィックエンジニアリングに基づくシグナリングコンポネント。
【００７５】
トラフィックエンジニアリングは、管理されるＩＰコアを介して経路を生成するためにＭＰＬＳを利用する。実際経路選択は、例えば、入場ＬＳＲ １３４２のような、各ＬＳＲ（Ｌａｂｅｌ Ｓｗｉｔｃｈｉｎｇ Ｒｏｕｔｅｒ）上に含まれた特別データベース１３４５を利用して行われる。特別データベース１３４５は、時には、トラフィックエンジニアリングリンク状態データベース（ＴＥ−ＬＳＤＢ、ｔｒａｆｆｉｃ ｅｎｇｉｎｅｅｒｉｎｇ ｌｉｎｋ ｓｔａｔｅ ｄａｔａｂａｓｅ）と言う。ＴＥ−ＬＳＤＢ １３４５は、（単一のＩＧＰ領域によって境界が設定される）コアのネットワークトポロジーを含む。経路選択に対する制限（例えば、イグレス（ｅｇｒｅｓｓ）、要求される経路、帯域幅、及びラベルスイッチングルーターインターフェースの包含／除外など）が提供された後、ＴＥ−ＬＳＤＢ １３４５は、不適合なリンクをオフロードし、経路がスイッチされた最も短いラベルが選択される。
【００７６】
したがって、図１７に示された実施形態は、すべての外部ＢＧＰルーター（例えば、ＩＳＰ ＴＮ１３０６内の第１のルーター１３０８、ターゲットＰＤＮ １３５２内の第２のルーター１３５０及びオペレータパケットベアラーネットワーク１３１４内の第３ルーター１３２０）と、（単一ＡＳによって境界が定められる）単一提供者／ネットワークオペレータコアバックボーン１３３２との間のトンネルを確立するための１つの例示的なＭＰＬＳ及びトラフィックエンジニアリングアキテクチャー１３００を提供する。ショット−カットルーティングのアプリケーションで、プレフィックス（前置、ｐｒｅｆｉｘｅｓ）の選択は、ＦＥＣ（Ｆｏｒｗａｒｄ Ｅｑｕｉｖａｌｅｎｃｅ Ｃｌａｓｓ）と呼ばれ、外部ＢＧＰ ＮＥＸＴ ＨＯＰルーター１３４６によってあらかじめ決定される。これは、イグレス（ｅｇｒｅｓｓ）ルーター１３２６、１３３０または１３４０のうちいずか１つによって直接接続することができる。
【００７７】
例えば、ＲＦＣ４０９０に説明されたファストリルートメカニズム(fast reroute mechanism)のような、ＬＳＰトンネルのためのＲＳＶＰ−ＴＥに対するファストリルート拡張を利用することは、例えば、図１７のイグレスＬＳＲ−２ １３３０及びイグレスルーター１３４０のような、ＳＩＰＴＯを許容するＰＤＮの経路にある各ＬＳＲが所定のＬＳＰトンネルに対する各主ラベルスイッチされたホップ（ｈｏｐ）に対してＲＦＣ４０９０に記述されたメカニズムを利用するバックアップラベルスイッチ経路の生成を要求する。バックアップラベルスイッチ経路は、ＳＩＰＴＯに対する機会が発生する時に対する適当なルーティング経路を提供することができる。
【００７８】
バックアップラベルスイッチ経路の確立は、ＲＳＶＰ−ＴＥに提供されるシグナリング拡張を使用することが必要なミッドポイントラベルスイッチングルーターの義務であり、各ミッドポイントラベルスイッチルーターに対して適当な優先順位を伝達するためのＬＳＰトンネルのためのＲＳＶＰ−ＴＥに対するファストリルート拡張に関連した内容であるＲＦＣ４０９０に含まれる。ミッドポイントラベルスイッチングルーターがＳＩＰＴＯに対するケイパビリティー（ｃａｐａｂｉｌｉｔｙ）に関する情報を提供されると仮定すれば、そして、これは、ＳＩＰＴＯが使用されるか、または、そうでない場合に対するイングレスラベルスイッチングルーター（ＩＬＳＲ、Ｉｎｇｒｅｓｓ Ｌａｂｅｌ Ｓｗｉｔｃｈｉｎｇ Ｒｏｕｔｅｒ）に表現されたトラフィックエンジニアリングポリシーと一致するバックアップ経路を決定する。
【００７９】
本発明の実施形態がＯＴＲ ＳＩＰＴＯ機会に対する参照とともに記述されたとしても、これは、ＯＴＲ（ｏｐｐｏｒｔｕｎｉｓｔｉｃ ｔｒａｎｓｐａｒｅｎｔ ｒｏｕｔｉｎｇ）が使用されるか、使用されない、すべてのＳＩＰＴＯメカニズムに対して同一に適用される実施形態であることを想定することができる。
【００８０】
本発明の実施形態がＬＴＥ／ＥＰＣネットワークを参照に記述されたとしても、代案のアプリケーションに対して、本発明の概念がＵＭＴＳ（ＵｎｉｖｅｒｓａｌＭｏｂｉｌｅＴｅｌｅ ｃｏｍｍｕｎｉｃａｔｏｎ Ｓｙｓｔｅｍ）セルラ通信システムまたはＧＰＲＳ（ｇｅｎｅｒａｌ ｐａｃｋｅｔ ｒａｄｉｏ ｓｙｓｔｅｍ）にも同一に適用されることができ、さらに、３ＧＰＰ無線接続技術にも適用されることができる。ある実施形態で、フローチャートに示された一部または全部の段階がハードウェア及び／またはソフトウェアで具現されることができる。
【００８１】
図１８を参照すれば、本発明の実施形態による信号処理機能を具現するために採択された典型的なコンピューティングシステム１４００が示された。この形式のコンピューティングシステムは、ＡＰ（ａｃｃｅｓｓ ｐｏｉｎｔ）及び無線通信ユニットで使用されることができる。この技術分野における通常の知識を有する者は、また、どのように本発明を他のコンピューティングシステムまたはアキテクチャーを利用して具現することができるかを理解することができる。コンピューティングシステム１４００は、例えば、デスクトップ、ラップトップ、またはノートパソコンコンピュータ、携帯用（ｈａｎｄ−ｈｅｌｄ）コンピューティング装置（ＰＤＡ、セルラーフォン、パームトップ（ｐａｌｍｔｏｐ）、など）、メインフレーム、サーバー、クライアント、または所定のアプリケーションまたは環境に好ましいかまたは適当なものとして、他のあらゆる形式の特別または一般目的のコンピューティング装置を使用してもよい。コンピューティングシステム１４００は、プロセッサ１４０４のような１つ以上のプロセッサを含むことができる。プロセッサ１４０４は、例えば、マイクロプロセッサー、マイクロコントローラー、または他の制御モジュールのような、一般または特別目的のプロセッシングエンジンで具現されることができる。この実施形態で、プロセッサ１４０４は、バス１４０２に連結されるか、または他の通信媒体と連結される。
【００８２】
コンピューティングシステム１４００は、プロセッサ１４０４を実行させるための情報及び命令（インストラクション、ｉｎｓｔｒｕｃｔｉｏｎ）を格納するために、ＲＡＭ（ｒａｎｄｏｍ ａｃｃｅｓｓ ｍｅｍｏｒｙ）または他の動的メモリー（ｄｙａｎｍｉｃ ｍｅｍｏｒｙ）のようなメインメモリー１４０８を含む。メインメモリー１４０８は、また、プロセッサ１４０４によって実行される命令の実行中に臨時変数または他の中間情報を格納するために使用されることができる。コンピューティングシステム１４００は、プロセッサ１４０４に対する静的情報及び命令を格納するために、バス１４０２に連結されるＲＯＭ（ｒｅａｄ ｏｎｌｙ ｍｅｍｏｒｙ）または他の静的格納装置（ｓｔａｔｉｃ ｓｔｏｒａｇｅ ｄｅｖｉｃｅ）を含むことができる。
【００８３】
コンピューティングシステム１４００は、情報格納システム１４１０を含むことができる。これは、例えば、メディアドライブ１８１２及び脱着可能なストレージ（ｓｔｏｒａｇｅ）インターフェース１４２０を含むことができる。メディアドライブ１４１２は、ハードディスクドライブ、プロッピィーディスクドライブ、磁気テープドライブ、光学ディスクドライブ、コンパクトディスク（ＣＤ）またはデジタルビデオドライブ（ＤＶＤ）リードまたはライトドライブ（ＲまたはＲＷ）、または他の固定または脱着可能なメディアドライブのような、固定または脱着可能なストレージ媒体を支援するドライブまたは他のメカニズムを含む。ストレージメディア１４１８は、メディアドライブ１４１２によって読み取るか、書き込むことができる、例えば、ハードディスク、フロッピー（登録商標）、磁気テープ、光学ディスク、ＣＤまたはＤＶＤ、または他の固定または脱着可能な媒体を含む。羅列されたこのような例のように、ストレージメディア１４１８は、個別コンピュータソフトウェアまたはその中に格納されたデータを有するコンピュータ読み取り可能な格納媒体を含む。
【００８４】
代案的な実施形態において、情報格納システム１８１０は、コンピューティングシステム１４００にローディングするためのコンピュータプログラムまたは他のインストラクションまたはデータを許容するための他の類似のコンポーネントを含むことができる。そのようなコンポネンートは、脱着可能なストレージユニット１４１８からコンピューティングシステム１４００に伝送されるソフトウェア及びデータを許容する脱着可能な格納ユニット１４２２及びインターフェース１４２０を含む。これは、例えば、プログラムカートリッジ及びカートリッジインターフェース、脱着可能なメモリー（ｒｅｍｏｖａｂｌｅ ｍｅｍｏｒｙ）（例えば、フラッシュメモリーまたは他の脱着可能なメモリーモジュール）及びメモリースロット、及び他の格納ユニット１４２２及びインターフェース１４２０のようなものを含むことができる。
【００８５】
コンピューティングシステム１４００は、通信インターフェース１４２４を含むことができる。通信インターフェース１４２４は、データ及びソフトウェアがコンピューティングシステム１４００と外部装置との間に伝送されるようにする。通信インターフェース１４２４の例は、モデム、（イーサネット(登録商標)または他のＮＩＣカードのような）ネットワークインターフェース、（例えば、ＵＳＢフォトのような）通信ポート、ＰＣＭＣＩＡスロット及びカードなどを含む。通信インターフェース１４２４を介して伝送されるソフトウェア及びデータは、信号の形式であり、この信号は、電気、電磁気、及び光学または通信インターフェース１４２４によって受信されることができる他の信号になることができる。このような信号は、チャネル１４２８を介して通信インターフェース１４２４に提供される。チャネル１４２８は、信号を輸送することができ、無線媒体、有線またはケーブル、繊維光学（ｆｉｂｅｒ ｏｐｔｉｃｓ）、または他の通信媒体を利用して具現されることができる。チャネルの一部の例は、電話線、セルラフォンリンク、ＲＦリンク、ネットワークインターフェース、ＬＡＮまたはＷＡＮ、及び他の通信チャネルを含む。
【００８６】
この文献において、用語コンピュータプログラム製品、コンピュータ読み取り可能な媒体などは、典型的に、例えば、メモリー１４０８、ストレージ装置１４１８またはストレージユニット１４２２のような媒体を示すように使用された。これら及びコンピュータ読み取り可能な媒体の他の形式は、プロセッサが特定動作を行うように、プロセッサ１４０４によって使用される１つ以上の命令を格納することができる。そのようなインストラクションは、一般的にコンピュータプログラムコード（これは、コンピュータプログラムまたは他のグルーピングの形式にグルーピングされることができる。）で示される。これらは、実行される時、コンピューティングシステム１４００は、本発明の実施形態の機能を行うようにする。コードは、直接プロセッサが特定動作を行うようにするか、そうするようにコンパイルされるか、及び／または、他のソフトウェア、ハードウェア及び／または、ファームウエア要素とともに組み合わせてそうするようにすることができる（例えば、標準関数を行うためのライブラリ）。
【００８７】
実施形態において、要素は、ソフトウェアを利用して具現されることができる。ソフトウェアは、例えば、脱着可能なストレージ装置１４２２、ドライブ１４１２または通信インターフェース１４２４を利用して、コンピュータ読み取り可能な媒体に格納されることができ、そして、コンピューティングシステム１４００にロードされることができる。制御モジュール（この例で、ソフトウェアインストラクションまたはコンピュータプログラムコード）は、プロセッサ１４０４によって実行される時、プロセッサ１４０４が本文献に記述されたような発明の機能を行うようにすることができる。
【００８８】
特に、前述の発明の概念は、ＩＰルーティングケイパビリティーを含む集積回路に対して半導体製造者によって適用されることができることを予想することができる。これは、例えば、ＳＩＰＴＯを支援するための信号処理モジュール、または、ＡＳＩＣ（ａｐｐｌｉｃａｔｉｏｎ−ｓｐｅｃｉｆｉｃ ｉｎｔｅｇｒａｔｅｄ ｃｉｒｃｕｉｔ）及び／または他のザブシステム要素のような、スタンドアローン（ｓｔａｎｄ−ａｌｏｎｅ）装置の設計で半導体製造者が本発明の概念を採択することができることをさらに予想することができる。
【００８９】
前述の技術は、発明を明確にするために、他の機能的ユニット及びプロセッサに対する参照とともに本発明の実施形態を説明していることを理解しなければならない。しかし、これは、例えば、ビームフォーミングモジュールまたはビームスキャニングモジュールに対して、他の機能ユニットまたはプロセッサ間の機能の適当な分配が本発明を損傷させることなく行われることができることは当然である。例えば、分離したプロセッサまたは制御機によって行われるものと説明された機能は、同一のプロセッサまたは制御機によって行われることもできる。したがって、特定機能ユニットに対する参照は、厳格な論理または物理構造または組職を示すものと言うよりは、説明された機能を提供するための適当な手段に対する参照として認識されなければならない。
【００９０】
本発明の多様な形態は、ハードウェア、ソフトウェア、ファームウエアまたはこれらの組合せのような適当な形態に具現されることができる。本発明は、少なくとも部分的に、１つ以上のデータプロセッサを運営するコンピュータソフトウェア及び／またはデジタル信号プロセッサまたはＦＰＧＡ装置のような構成モジュールコンポーネントのように、選択的に具現されることができる。したがって、本発明の実施形態の要素及びコンポーネントは、物理的に、機能的にそして、論理的に適当な方式に具現されることができる。さらに、機能は、単一ユニット、複数のユニット、または他の機能ユニットの一部として具現されることができる。
【００９１】
本発明がいくつかの実施形態によって説明されたが、これは、本発明を制限するための意図として使用されるものではない。本発明の権利範囲は、添付の請求範囲だけによって制限されなければならない。さらに、構成が個別実施形態によって説明されたが、この分野において通常の知識を有する者なら、本発明によって多様な実施形態が組み合わせられることを理解することができる。請求範囲で、用語“含む”は、他の要素または段階の存在を除外するものではない。
【００９２】
さらに、個別的に羅列されたとしても、複数の手段、要素または方法の段階は、例えば、単一ユニットまたはプロセッサによって具現されることができる。さらに、個別構成は、他の請求項に含まれているとしても、これらは、組合せによって利得をもたらすことができる。そして、他の請求項に含まれた構成は、その構成の組合せが実現可能でないか、及び／または、利得がないことを示すものではない。また、請求項において１つのカテゴリー内の構成の組合せは、このカテゴリーを制限するものではなく、その構成が同一に他の請求項のカテゴリーに適当な方式で適用可能である。
【００９３】
さらに、この請求項の構成の順序は、その構成が必ず行われなければならない特定手順を反映するものではなく、特に、方法請求項の個別段階の順序は、必ずそのような手順に行われなければならない手順を示すものではない。それよりは、その段階は、適当な手順によって行われることができる。さらに、単数参照は、複数型を除外するものではない。したがって、１つ、第１、第２などのような言及は、複数形式を不可能にするものではない。
【００９４】
このように、ＳＩＰＴＯを利用するＩＰデータをルーティングするための改善された無線接続ノードネットワーク要素、集積回路及び方法が説明された。ここで、従来技術方式の前述した問題点が大幅に解消された。
【符号の説明】
【００９５】
３０５  ・・・  ＩＰデータフロー
３１０  ・・・  ローミングされたネットワーク
３１５  ・・・  ＵＥ（Ｕｓｅｒ  Ｅｑｕｉｐｍｅｎｔ）
３１８  ・・・  データフロー
【図１】
2013502803.tif 000003
【図２】
2013502803.tif 000004
【図３】
2013502803.tif 000005
【図５】
2013502803.tif 000006
【図６】
2013502803.tif 000007
【図７】
2013502803.tif 000008
【図８】
2013502803.tif 000009
【図９】
2013502803.tif 000010
【図１０】
2013502803.tif 000011
【図１１】
2013502803.tif 000012
【図１２】
2013502803.tif 000013
【図１３】
2013502803.tif 000014
【図１４】
2013502803.tif 000015
【図１５】
2013502803.tif 000016
【図１８】
2013502803.tif 000017
【図４】
2013502803.tif 000018
【図１６】
2013502803.tif 000019
【図１７】
2013502803.tif 000020
【国際調査報告】
2013502803.tif 000021
2013502803.tif 000022